(57)【特許請求の範囲】
【請求項１】
空気透過性の表面を有する可撓性の第１の層と、
共通する周縁の周りの周縁シールによって前記第１の層を接合して空気膜構造を形成する可撓性の第２の層であって、前記空気膜構造は、第１の縁部と、反対側の第２の縁部とを有し、前記空気膜構造は、第１の部分、第２の部分、及び前記第１の部分と前記第２の部分を接続する膨張可能なチャネルを含む、可撓性の第２の層と、
前記空気膜構造内への少なくとも１つの開口部と、
前記第１の部分と前記第２の部分を接続する前記膨張可能なチャネルの周縁に近接して配設されたエアガイド装置であって、前記第１の部分及び前記第２の部分のうちの少なくとも１つが曲がっているときに、屈曲部において膨張媒体の圧力降下を抑えるように膨張媒体の流れを方向付けるように構成されたエアガイド装置と、
を備え、
前記エアガイド装置は、前記周縁シールに近接して配設された誘導シールを含み、かつ、前記誘導シールは、前記エアガイド装置に近接して折り目を形成することができる、構成可能な対流装置。
【請求項２】
空気透過性の表面を有する可撓性の第１の層と、
共通する周縁の周りの周縁シールによって前記第１の層を接合して空気膜構造を形成する可撓性の第２の層であって、前記空気膜構造は、第１の縁部と、反対側の第２の縁部とを有し、前記空気膜構造は、第１の部分、第２の部分、及び前記第１の部分と前記第２の部分を接続する膨張可能なチャネルを含む、可撓性の第２の層と、
前記空気膜構造内への少なくとも１つの開口部であって、入口ポート、及び該入口ポートの周りの剛性カラーをさらに含む、開口部と、
前記第１の縁部に近接して配設され、前記空気膜構造の一部を第１の部分及び第２の部分に分離するように適合されている分離装置であって、
前記第１の縁部から前記第２の縁部に向かって延在する封入シールと、
前記封入シール内の分離要素と、
を含む分離装置と、
前記第２の縁部に近接し、かつ、前記第１の部分と前記第２の部分を接続する前記膨張可能なチャネルの周縁に近接して配設されたエアガイド装置であって、前記第１の部分及び前記第２の部分のうちの少なくとも１つが曲がっているときに、屈曲部において膨張媒体の圧力降下を抑えるように膨張媒体の流れを方向付けるように構成されたエアガイド装置と、
を備え、
前記エアガイド装置は、前記周縁シールに近接して配設された誘導シールを含み、かつ、前記誘導シールは、前記エアガイド装置に近接して折り目を形成することができる、構成可能な対流装置。
【請求項３】
前記エアガイド装置は、第２の縁部に近接する前記周縁シールから前記空気膜構造に向かって延在する前記誘導シールを含む、請求項２に記載の構成可能な対流装置。
【発明の詳細な説明】
【技術分野】
【０００１】
本開示は、空気膜構造を有する対流装置、対流装置と共に使用されるアクセサリ、及び対流装置を有する衣類に関する。
【発明の概要】
【０００２】
本開示の少なくともいくつかの態様は、空気透過性の表面を有する可撓性の第１の層と、共通する周縁の周りのシールによって第１の層を接合して空気膜構造を形成する可撓性の第２の層であって、空気膜構造は、第１の縁部と、対向する第２の縁部とを有し、空気膜構造は、第１の部分、第２の部分、及び第１の部分と第２の部分を接続する膨張可能なチャネルを含む、可撓性の第２の層と、空気膜構造内への少なくとも１つの開口部と、第１の部分と第２の部分との間に配設されたエアガイド装置と、を含む、構成可能な対流装置を特徴とする。エアガイド装置は、第１の部分及び第２の部分のうちの少なくとも１つが曲がっているときに屈曲部において膨張媒体の流れを方向付けるように構成される。
【０００３】
本開示の少なくともいくつかの態様は、空気透過性の表面を有する可撓性の第１の層と、共通する周縁の周りのシールによって第１の層を接合して空気膜構造を形成する可撓性の第２の層であって、空気膜構造は、第１の縁部と、対向する第２の縁部とを有する、可撓性の第２の層と、空気膜構造内への少なくとも１つの開口部と、第１の縁部に近接して配設され、空気膜構造の一部を第１の部分及び第２の部分に分離するように適合されている分離装置であって、第１の縁部から第２の縁部に向かって延在する封入シールと、封入シール内の分離要素とを含む分離装置と、第２の縁部に近接して、第１の部分と第２の部分との間に配設されたエアガイド装置であって、第１の部分及び第２の部分のうちの少なくとも１つが曲がっているときに屈曲部における膨張媒体の流れを方向付けるように構成されたエアガイド装置と、を含む、構成可能な対流装置を特徴とする。
【０００４】
本開示の少なくともいくつかの態様は、空気透過性の表面を有する可撓性の第１の層と、共通する周縁の周りの周縁シールによって第１の層を接合して空気膜構造を形成する可撓性の第２の層であって、空気膜構造は、第１の縁部と、対向する第２の縁部とを有し、空気膜構造は、第１の部分、第２の部分、及び第１の部分と第２の部分を接続する膨張可能なチャネルを含む、可撓性の第２の層と、空気膜構造内への少なくとも１つの開口部と、第１の部分と第２の部分との間に配設されたエアガイド装置であって、第１の部分及び第２の部分のうちの少なくとも１つが曲がっているときに屈曲部において膨張媒体の流れを方向付けるように構成されたエアガイド装置と、を含む、膨張可能な上半身ブランケットを特徴とする。
【図面の簡単な説明】
【０００５】
添付の図面は、本明細書に援用され、本明細書の一部をなすものであり、説明文と併せて本発明の利点及び原理を説明するものである。
【０００６】
【図１Ａ】分離装置及び任意的なエアガイド装置を有する対流装置の１つの実施形態の上面図である。
【０００７】
【図１Ｂ】２つの部分が部分的に分離された後の図１Ａに示される実施形態の再構成の上面図を示す。
【０００８】
【図１Ｃ】図１Ａに示す対流装置が膨張し、曲がっているときのクローズアップ図である。
【０００９】
【図２Ａ】分離装置及び任意的なエアガイド要素を有する対流装置の１つの実施形態の上面図である。
【００１０】
【図２Ｂ】２つの部分が部分的に分離された後の図２Ａに示される実施形態の再構成の上面図を示す。
【００１１】
【図２Ｃ】図２Ａに示す対流装置に類似の対流装置が膨張し、曲がっているときのクローズアップ図である。
【００１２】
【図３Ａ】構成可能な対流装置の様々な例を示す。
【図３Ｂ】構成可能な対流装置の様々な例を示す。
【図３Ｃ】構成可能な対流装置の様々な例を示す。
【図３Ｄ】構成可能な対流装置の様々な例を示す。
【図３Ｅ】構成可能な対流装置の様々な例を示す。
【図３Ｆ】構成可能な対流装置の様々な例を示す。
【図３Ｇ】構成可能な対流装置の様々な例を示す。
【図３Ｈ】構成可能な対流装置の様々な例を示す。
【図３Ｉ】構成可能な対流装置の様々な例を示す。
【図３Ｊ】構成可能な対流装置の様々な例を示す。
【図３Ｋ】構成可能な対流装置の様々な例を示す。
【図３Ｌ】構成可能な対流装置の様々な例を示す。
【００１３】
【図４Ａ】エアガイド装置のいくつかの例を示す。
【図４Ｂ】エアガイド装置のいくつかの例を示す。
【図４Ｃ】エアガイド装置のいくつかの例を示す。
【図４Ｄ】エアガイド装置のいくつかの例を示す。
【図４Ｅ】エアガイド装置のいくつかの例を示す。
【図４Ｆ】エアガイド装置のいくつかの例を示す。
【図４Ｇ】エアガイド装置のいくつかの例を示す。
【図４Ｈ】エアガイド装置のいくつかの例を示す。
【００１４】
【図５Ａ】ホースクランプの１つの実施形態の斜視図を示す。
【００１５】
【図５Ｂ】図５Ａに示すホースクランプの側面図を示す。
【００１６】
【図５Ｃ】ホースクランプの別の例を示す。
【００１７】
【図６Ａ】包囲要素の内面に向かうホースクランプの平面図である。
【００１８】
【図６Ｂ】図６Ａに示すホースクランプの斜視図である。
【００１９】
【図６Ｃ】図６Ａに示すホースクランプの側面図である。
【００２０】
【図６Ｄ】係合構成要素のいくつかの例示的な構成を示す。
【図６Ｅ】係合構成要素のいくつかの例示的な構成を示す。
【図６Ｆ】係合構成要素のいくつかの例示的な構成を示す。
【図６Ｇ】係合構成要素のいくつかの例示的な構成を示す。
【００２１】
【図７】対流装置及びホース接続を維持するためのホースクランプを使用して温度を制御するシステムの１つの実施形態を示す。
【００２２】
【図８】対流装置を有するガウンの１つの実施形態を示す。
【００２３】
【図９】構成可能な対流装置を用いる例示的な流れ図を示す。
【００２４】
これらの図面中、同様の参照番号は、同様の要素を示す。上記で定義された図面は、一定の縮尺で描かれていない場合があり、本開示の様々な実施形態を示すものであるが、「発明を実施するための形態」で記述されるように、他の実施形態もまた想到される。全ての場合に、本開示は、本明細書で開示される開示内容を、明示的な限定によってではなく、例示的実施形態を表現することによって説明する。本開示の範囲及び趣旨に含まれる他の多くの変更及び実施形態を、当業者が考案することが可能である点を理解されたい。
【発明を実施するための形態】
【００２５】
別途記載のない限り、本明細書及び特許請求の範囲で使用される特徴部の寸法、量、及び物理的特性を表わす全ての数字は、いずれの場合においても「約」なる語によって修飾されているものとして理解されたい。したがって、そうでない旨が示されない限り、上記の明細書及び添付の「特許請求の範囲」において示される数値パラメータは、本明細書に開示される教示を利用して当業者が得ようとする所望の特性に応じて変わり得る近似値である。端点による数値範囲の使用は、その範囲内の全ての数字（例えば、１〜５は、１、１．５、２、２．７５、３、３．８０、４、及び５を含む）、及びその範囲内の任意の範囲を含む。
【００２６】
本明細書及び添付の特許請求の範囲において使用されるとき、単数形「ａ」、「ａｎ」、及び「ｔｈｅ」は、その内容について別段の明確な指示がない限り、複数の指示対象を有する実施形態を包含する。本明細書及び添付の特許請求の範囲において使用されるとき、用語「又は」は、概ね、その内容について別段の明確な指示がない限り、「及び／又は」を含む意味で使用される。
【００２７】
対流装置は概ね、気体状態の物質を分配する装置を指す。例えば、対流装置は、加圧加温空気の流れを受け入れ、加圧空気に反応して膨張し、加温空気を空気膜構造内に分配させ、加温空気を身体の上に放ち、快適性を増す、震えを低減させる、及び低体温症を治療する又は防ぐ等の目的を達成することができる。いくつかの実施形態において、対流装置は、２つの層によって形成された空気膜構造を有し、各層は１つ以上のシートを含み、層のうちの少なくとも１つは空気透過性であり、これにより空気分配を可能にする。本明細書で使用するとき、「膨張可能」とは、空気又は他の気体が大気圧を超える圧力において構造物の内部に供給されるとき、体積が増える構造物を指す。通常、これらの構造は、１００ｍｍＨｇ未満の圧力、好ましくは５０ｍｍＨｇ未満の圧力、より好ましくは２５ｍｍＨｇの圧力等の比較的低い圧力において膨張する。場合によっては、膨張可能なセクションの体積は、１００％を超えて増大し得る。
【００２８】
本開示の少なくともいくつかの実施形態は、再構成及び変形を容易にする特徴を有する対流装置を対象とし、例えば、対流装置の一部が曲がっている。通常、対流装置における空気膜構造は、一部分が曲げられているとき、屈曲部に近接してねじれているか又は圧迫されている。いくつかの実施形態において、対流装置は、屈曲部において膨張媒体の圧力降下を抑えるように膨張媒体を方向付けるように空気膜構造内に配設されたエアガイド装置を含む。本明細書において使用されるとき、「内」とは、構造の端を含む、概ね構造の中における空間関係を表わすために使用される。例えば、対流装置は、膨張時に、エアガイド装置に近接して１つ以上の折り目を形成するのに役立つエアガイド装置を含むことができる。場合によっては、対流装置は、空気膜構造を２つの部分に分離するように適合されている分離装置を含み、ここで、２つの部分は、元の相対位置と異なる相対位置に配置され得る。例えば、２つの部分は概ね、元の構成と同じラインに沿って延在し、２つの部分は部分的に分離することができ、各部分は、２つの部分が概ね平行になるように、その元の位置から約９０度曲げることができる。
【００２９】
本開示の少なくともいくつかの実施形態は、気密接続を改善し、スリップを防ぐために対流装置及びホースと共に使用されるように設計されたホースクランプを対象とする。いくつかの実施形態において、ホースクランプは、ホースの直径に合致する包囲要素と、使用者の操作を容易にするための把持構成要素とを含む。場合によっては、ホースクランプは、ホースクランプの把持力を改善するために包囲要素の内面に配設された係合構成要素を含む。係合構成要素は、例えば、複数の係合要素、バンプ、隆起等を含むことができる。いくつかの実施態様では、係合要素は、包囲要素の内面上にパターンで配設される。場合によっては、係合要素の少なくともいくつかが、包囲要素の一端又は両端に近接して配設される。
【００３０】
図１Ａは、分離装置及び任意的なエアガイド要素を有する対流装置１００の１つの実施形態の上面図であり、図１Ｂは、２つの部分が部分的に分離された後の図１Ａに示される実施形態の再構成の上面図を示し、図１Ｃは、図１Ａに示す対流装置１００が膨張し、曲がっているときのクローズアップ図である。この実施形態において、対流装置１００は、可撓性の第１の層１０７と、可撓性の第２の層（図示せず）と、開口部１３０と、任意的な分離装置１１０と、任意的なエアガイド装置１２０とを有する。場合によっては、可撓性の第１の層１０７は、空気透過性の表面を有する。可撓性の第２の層は、共通する周縁の周りの周縁シール１０６によって第１の層を接合して空気膜構造１４０を形成する。ここで、空気膜構造１４０は、第１の縁部１４１及び対向する第２の縁部１４２を有する。空気膜構造１４０は、第１の部分１４３と、第２の部分１４４と、第１の部分１４３及び第２の部分１４４を接続する膨張可能なチャネル１４５とを有し、ここで、第１の部分及び第２の部分は、概ね、図１Ａに示されるように同じ線に沿って延在している。場合によっては、対流装置１００は、その元の構成において、腕を臨床位置に延ばした人の上半身を覆うのに適した上半身ブランケットとして使用され得る。そのような場合、対流装置１００は、例えば、人の下半身を覆う下半身ブランケットを形成するように再配置され得る。
【００３１】
いくつかの実施形態において、対流装置１００は、空気膜構造１４０への少なくとも１つの開口部１３０を含む。開口部１３０は、膨張媒体源（図示せず）に接続し、膨張媒体を提供して空気膜構造１４０を膨張させることが可能な任意の形態、例えば、図１Ａに示されるような縁部にあるスリーブ開口部の形態をとることができる。他の例として、開口部１３０は、１つ以上の入口ポート、カフ、剛性カラーを有するポート、縁部におけるスリーブ開口部等を含むことができる。
【００３２】
いくつかの実施形態において、分離装置１１０は、空気膜構造１４０の第１の縁部１４１に近接して配設される。場合によっては、分離装置は、第１の縁部１４１から第２の縁部１４２に向かって延在する封入シール１１２と、封入シール１１２内の分離要素１１４とを含む。分離装置１１０は、空気膜構造を、第１の部分１４３と第２の部分１４４とに分離するように適合されており、それによりこれらの２つの部分を再配置し、曲げることができる。２つの部分が取り付けられているとき、第１の部分１４３は、方向１０３Ａに沿った長手方向軸１０３を有し、第２の部分１４４は、方向１０５Ａに沿った長手方向軸１０５を有する。場合によっては、封入シール１１２の少なくとも一部分は、概ね、第１の縁部に垂直である。封入シール１１２は、例えば、直線、曲線、Ｔ字形状、閉じた連続形状（例えば、長方形形状、卵型形状等）等の形状をとることができる。場合によっては、分離要素１１４は、脆弱化線、ミシン目、スリット、開口部、面ファスナー、接着性ストリップ等のうちの少なくとも１つを含む。分離要素１１４は、例えば、直線、ウェッジ、三角形、長方形、楕円形、曲線等の形状をとることができる。場合によっては、分離要素１１４は、対流装置１１０が再配置されるときに破って開けられる接続された要素である。場合によっては、分離要素は、細い開口部のみを含み、例えば、開口部の最大幅は２ｃｍより小さい。場合によっては、空気膜構造１４０は、第１の縁部１４１と第２の縁部１４２との間の平均長さＬを有し、分離装置１１０の長さは、空気膜構造１４０の平均長さＬの半分以上である。
【００３３】
場合によっては、エアガイド装置１２０は、空気膜構造１４０の第２の縁部１４２に近接して、第１の部分１４３と第２の部分１４４との間に配設される。エアガイド装置１２０は、特に、第１の部分１４３及び／又は第２の部分１４４が曲がっているときに、これらの２つの部分間で膨張媒体の流れを方向付けるように適合されている。場合によっては、エアガイド装置１２０は、第１の部分１４３及び第２の部分１４４を接続する膨張可能なチャネル１４５内に配設される。本明細書において使用されるとき、「膨張可能なチャネルにおいて」又は「膨張可能なチャネル内において」とは、部分的に膨張チャネル内にあることを含む。場合によっては、エアガイド装置１２０は、構成可能な対流装置１００が膨張し、第１の部分及び第２の部分のうちの少なくとも１つが、対流装置１００の一部が（例えば、図１Ｃに示すように）曲がるように再配置されるときに、エアガイド装置の縁部において折り目を形成するのを容易にするように構成される。空気膜構造１４０は幅Ｗを有し、第２の縁部１４２は、第１の端部１４２Ａ及び第２の端部１４２Ｂを有する。
【００３４】
場合によっては、エアガイド装置１２０は、第１の端部１４２Ａから幅の１／４の距離にある開始点と、第２の端部１４２Ｂから幅の１／４の距離にある終了点とを有する空気膜構造の中心部分に配設される。場合によっては、エアガイド装置１２０は、第１の端部１４２Ａから幅の２／５の距離にある開始点と、第２の端部１４２Ｂから幅の２／５の距離にある終了点とを有する空気膜構造の中心部分に配設される。場合によっては、エアガイド装置１２０は、膨張可能なチャネル１４５の、第２の縁部１４２により近く、第１の縁部１４１からより離れた部分に配設される。いくつかの実施形態において、エアガイド装置１２０は、第２の縁部１４２から空気膜構造１４０に向かって延在する誘導シールを含む。示される実施形態において、エアガイド装置１２０は、２つの誘導シール１２１及び１２２を含み、各誘導シールは、第２の縁部１４２から空気膜構造１４０に向かって延在する。場合によっては、２つの誘導シール（１２１、１２２）は、空気膜構造１４０の異なる部分（第１の部分１４３又は第２の部分１４４）に方向付けられる。場合によっては、２つの誘導シール（１２１、１２２）は、概ね、互いに垂直である。
【００３５】
図１Ｂは、空気膜構造１４０の第１の部分１４３及び第２の部分１４４が、部分的に分離された後にどのように再配置され得るかを示す。場合によっては、第１の部分１４３は、その長手方向軸１０３が、方向１０３Ａから角度１３を有する方向１０３Ｂに沿うように、０°と９０°との間の角度１３に向けられ得る。同様に、第２の部分１４４は、その長手方向軸１０５が、方向１０５Ａから角度１５を有する方向１０５Ｂに沿うように、０°と９０°との間の角度１５に向けられ得る。第１の部分１４３及び第２の部分１４４の双方が約９０°曲がっているとき、第１の部分１４３及び第２の部分１４４は、概ね、互いに平行になるように配置される。
【００３６】
図１Ｃは、図１Ａに示す対流装置１００が膨張し、曲がっているときのクローズアップ図を示す。第１の部分１４３及び第２の部分１４４は、２つの部分が互いに近く、対流装置１００の一部が曲がっている位置に再配置される。示される実施形態において、エアガイド装置１２０は、誘導シール１２１に沿った１つ以上の折り目１２１Ｃ及び誘導シール１２２に沿った１つ以上の折り目１２２Ｃの形成を容易にし、膨張媒体の流量が屈曲領域において低減されるが、大幅には低減されないようにする。場合によっては、エアガイド装置１２０は、１つ以上の折り目の形成を容易にし、この折り目において、対流装置１００は、対流装置１００が膨張するときにねじれ効果及び気圧降下を抑えるように曲がる。
【００３７】
第１の層１０７及び第２の層の各々は、１つ以上のシートを含んでもよく、各シートは異なる材料から形成されてもよい。いくつかの実施態様において、第１の層１０７及び／又は第２の層は、熱シール性の高分子材料の上面シートに結合することができる高分子材料からなる、可撓性があり、繊維状で、好ましくは不織布構造から形成される下面シートを含んでもよい。例えば、下面シートは不織布の水流交絡ポリエステル材料であってもよく、上面層は、ポリエステル層の上に押出被覆される、熱積層される、又は接着積層されるポリプロピレンフィルムなどのポリオレフィンを含んでもよい。あるいは、下面シートは不織布の紙ベースの材料を含んでもよく、それにポリエチレン又はポリプロピレンフィルムのどちらかを含む上面層が接着剤で積層される。一実施形態では、上面及び下面のシートは、熱シール性プラスチックの層が予め積層された吸収性のティッシュペーパーの層で作ることができる。場合によっては、第１の層及び第２の層の双方が、同じポリマー材料を含むことができる。
【００３８】
いくつかの実施形態において、第２の層は、上側シート及び下側シートを含み、第１の層１０７は、第２の層の上側シートと同じ材料を含む。このため、第１の層１０７は、第２の層のプラスチック上面に接合されたプラスチックのシートを含んでもよい。それは好ましくは、中断可能なヒートシール工程を提供するステーションを含む連続走行するウェブ工程によって取り付けられる。この中断可能なヒートシール工程は、間に膨張可能なチャネルを画定する細長いヒートシール１０８を形成するように制御することができる。シール１０８は、連続した空気不透過性シール又は不連続の空気透過性シールとして形成され得る。中断可能なヒートシール工程を使用して、連続した継ぎ目を形成することができ、その継ぎ目の１つが第２の層及び第１の層１０７の周縁の継ぎ目１０６である。場合によっては、中断可能なヒートシール工程を使用して、不連続のヒートシール１０８を形成することができる。場合によっては、吸収性材料が、対流装置１００に適用されてもよく、例えば、単一材料層として適用され得る。吸収性材料は、熱処理によって又は接着剤結合によって、上プラスチック層に接合することができる。
【００３９】
いくつかの実施形態において、対流装置１００は、膨張したときに、空気透過性層、第１の層及び／又は第２の層を介して対流装置１００内に導入された熱制御された膨張媒体を患者に浴びせることができる。層は、例えば、空気透過性材料、アパーチャ、隙間、スリット等の様々な材料又は機械的構造を使用して、空気透過性であり得る。アパーチャを有する空気透過性シートのいくつかの実施態様では、アパーチャの密度は、領域及び／又は膨張可能なセクションによって変動し得る。
【００４０】
いくつかの実施形態において、第１の層１０７及び／又は第２の層は、それぞれ片側にポリプロピレンが被覆された、ポリオレフィン不織布の押出被覆から作られる。いくつかの他の実施形態では、第１の層１０７及び／又は第２の層は、ポリオレフィンをベースとした押出被覆を有するポリ乳酸スパンボンドであり得る。第１の層１０７及び第２の層のうちの１つは、加圧された膨張媒体が膨張したセクションから層を通って流れることを可能にするための、打抜、スリッティング又は切断により形成された孔を有してもよい。場合によっては、孔は、双方の層を通って開かれることができる。場合によっては、対流装置１００が組み立てられたとき、第１の層１０７のポリプロピレンが被覆された側は、周縁１０６で、及び１つ以上の位置１０８で第２の層のポリプロピレンが被覆された側に密閉されて構造を形成する。密閉工程は、例えば、超音波溶接、高周波溶接、熱溶着等の様々な技法を使用することができる。あるいは、第１の層１０７及び第２の層はそれぞれ、ポリプロピレンとポリオレフィンウェブとの積層体を含んでもよく、加圧空気の通過を助けるようにそれらの層の少なくとも１つに孔が形成される。更に別の実施形態では、層のうちの少なくとも１つは、空気透過性材料、例えば、スパンボンド−メルトブローン−スパンボンド（spunbond-meltblown-spunbond、ＳＭＳ）不織布材料等を使用することができる。
【００４１】
図２Ａは、分離装置及び任意的なエアガイド要素を有する対流装置２００の１つの実施形態の上面図であり、図２Ｂは、２つの部分が部分的に分離された後の図２Ａに示される実施形態の再構成の上面図を示し、図２Ｃは、図２Ａに示す対流装置に類似の対流装置が膨張し、曲がっているときのクローズアップ図である。この実施形態において、対流装置２００は、第１の層２０７と、可撓性の第２の層（図示せず）と、開口部２３０と、任意的な分離装置２１０と、任意的なエアガイド装置２２０とを有する。場合によっては、可撓性の第１の層２０７は、空気透過性の表面を有する。可撓性の第２の層は、共通する周縁の周りのシール２０６によって第１の層を接合して空気膜構造２４０を形成する。ここで、空気膜構造２４０は、第１の縁部２４１及び対向する第２の縁部２４２を有する。空気膜構造２４０は、第１の部分２４３と、第２の部分２４４と、第１の部分２４３及び第２の部分２４４を接続する膨張可能なチャネル２４５とを有し、ここで、第１の部分２４３及び第２の部分２４４は、概ね、図２Ａに示されるように互いに概ね平行である場合によっては、対流装置２００は、膨張可能な下半身ブランケット、上半身ブランケット、又は全身ブランケットである。図２Ａ〜図２Ｃに示す構成要素は、図１Ａ〜図１Ｃに示す対応する構成要素と同じ又は同様の要素、組成、構成及び特徴を有することができる。
【００４２】
いくつかの実施形態において、対流装置２００は、空気膜構造２４０への少なくとも１つの開口部２３０を含む。開口部２３０は、膨張媒体源（図示せず）に接続し、その膨張媒体を提供して空気膜構造２４０を膨張させることを可能にする任意の形態、例えば、図２Ａに示されるような入口ポートの形態をとることができる。他の例として、開口部２３０は、１つ以上の入口ポート、カフ、縁部におけるスリーブ開口部等を含むことができる。
【００４３】
いくつかの実施形態において、分離装置２１０は、空気膜構造２４０の第１の縁部２４１に近接して配設される。場合によっては、分離装置は、第１の縁部２４１から第２の縁部２４２に向かって延在する封入シール２１２と、封入シール２１２内の分離要素２１４とを含む。分離装置２１０は、空気膜構造の一部を、２つの部分（２４３、２４４）に分離するように適合されており、それにより２つの部分の相対位置を再構成することができる。２つの部分が付いているとき、第１の部分２４３は、方向２０３Ａに沿った長手方向軸２０３を有し、第２の部分２４４は、方向２０５Ａに沿った長手方向軸２０５を有する。場合によっては、封入シール２１２の少なくとも一部分は、概ね、第１の縁部に垂直である。封入シール２１２は、例えば、直線、曲線、閉じた連続形状（例えば、長方形形状、卵型形状等）等の形状をとることができる。分離要素２１４は、脆弱化線、ミシン目、及びスリットのうちの少なくとも１つを含む。
【００４４】
場合によっては、エアガイド装置２２０は、空気膜構造２４０の第２の縁部２４２に近接して、第１の部分２４３と第２の部分２４４との間に配設される。このエアガイド装置２２０は、特に、２つの部分のうちの一方又は双方が曲がっているときに、これらの２つの部分間で膨張媒体の流れを方向付けるように適合されている。場合によっては、エアガイド装置２２０は、第１の部分２４３と第２の部分２４４との間に配設される。場合によっては、エアガイド装置２２０は、構成可能な対流装置２００が膨張し、第１の部分及び第２の部分のうちの少なくとも１つが、対流装置２００の一部が（例えば、図２Ｃに示すように）曲がるように再配置されているときに、エアガイド装置の縁部において折り目を形成するのを容易にするように構成される。いくつかの実施形態において、エアガイド装置２２０は、第２の縁部２４２から空気膜構造２４０に向かって延在する誘導シールを含む。示される実施形態において、エアガイド装置２２０は、２つの誘導シール２２１及び２２２を含み、各誘導シールは、第２の縁部２４２から空気膜構造２４０に向かって延在する。場合によっては、２つの誘導シール（２２１、２２２）は、空気膜構造２４０の異なる部分（第１の部分２４３又は第２の部分２４４）に方向付けられる。場合によっては、２つの誘導シール（２２１、２２２）は、概ね、互いに垂直である。
【００４５】
図２Ｂは、空気膜構造２４０の第１の部分２４３及び第２の部分２４４が、部分的に分離された後にどのように再配置され得るかを示す。場合によっては、第１の部分２４３は、その長手方向軸２０３が、方向２０３Ａから角度２３を有する方向２０３Ｂに沿うように、０°と９０°との間の角度２３に向けられ得る。同様に、第２の部分２４４は、その長手方向軸２０５が、方向２０５Ａから角度２５を有する方向２０５Ｂに沿うように、０°と９０°との間の角度２５に向けられ得る。第１の部分２４３及び第２の部分２４４の双方が約９０°に向けられているとき、第１の部分２４３及び第２の部分２４４は、概ね、同じ線に沿って延在するように配置される。例えば、対流装置２００は、その元の構成において、人の足及び胴部を覆うための下半身ブランケットとして使用でき、胸部及び延ばした腕を覆うための上半身ブランケットとして使用するように再配置され得る。
【００４６】
図２Ｃは、図２Ａに示す対流装置に類似の対流装置２００Ｃが膨張し、曲がっているときのクローズアップ図である。対流装置２００Ｃは、周縁シール２０６と、膨張可能なチャネルを形成するためのシール２０８と、元々平行に配置された第１の部分２４３及び第２の部分と、波状のシールであるエアガイド装置２２０Ｃとを含む。示される実施形態において、第１の部分２４３及び第２の部分２４４は、概ね反対側に延在するように再配置され、空気膜構造２４０は、エアガイド装置２２０Ｃに沿って形成された折り目２２２Ｃを有し、膨張媒体の流量が空気膜構造内で概ね均一になるように、例えば、流量が屈曲領域において低減されるが、大幅には低減されないようにする。場合によっては、エアガイド装置２２０Ｃは、１つ以上の折り目２２２Ｃの形成を容易にし、この折り目において、対流装置２００Ｃは、対流装置２００Ｃが膨張するときにねじれ効果及び気圧降下を抑えるように曲げられる。
【００４７】
図３Ａ〜図３Ｌは、構成可能な対流装置の様々な例を示す。図３Ａ〜図３Ｌに示す例における構成要素は、図１Ａ〜図２Ｃに示す対応する構成要素と同じ又は同様の要素、組成、構成及び特徴を有することができる。図３Ａは、任意的な分離装置及び任意的なエアガイド要素を有する対流装置３００Ａの１つの実施形態の上面図であり、図３Ｂは、２つの部分が部分的に分離された後の図３Ａに示される実施形態の再構成の上面図を示す。この実施形態において、対流装置３００Ａは、可撓性の第１の層３０７Ａと、可撓性の第２の層（図示せず）と、開口部３３０Ａと、任意的な分離装置３１０Ａと、任意的なエアガイド装置３２０Ａとを有する。場合によっては、可撓性の第１の層３０７Ａは、空気透過性の表面を有する。可撓性の第２の層は、共通する周縁の周りの周縁シール３０６Ａによって第１の層を接合して空気膜構造３４０Ａを形成し、シール３０８Ａを接合して膨張可能なチャネルを形成する。ここで、空気膜構造３４０Ａは、第１の縁部３４１Ａ及び対向する第２の縁部３４２Ａを有する。空気膜構造３４０Ａは、第１の部分３４３Ａと、第２の部分３４４Ａと、第１の部分３４３Ａ及び第２の部分３４４Ａを接続する膨張可能なチャネル３４５Ａとを有する。場合によっては、対流装置３００Ａは、腕を臨床位置に延ばした人の上半身を覆うのに適した上半身ブランケットとして使用され得る。
【００４８】
いくつかの実施形態において、対流装置３００Ａは、空気膜構造３４０Ａへの少なくとも１つの開口部３３０Ａを含む。開口部３３０Ａは、膨張媒体源（図示せず）に接続し、膨張媒体を提供して空気膜構造３４０Ａを膨張させることを可能にする任意の形態、例えば、図３Ａに示されるような縁部におけるスリーブ開口部の形態をとることができる。他の例として、開口部３３０Ａは、１つ以上の入口ポート、カフ、縁部におけるスリーブ開口部等を含むことができる。
【００４９】
いくつかの実施形態において、分離装置３１０Ａは、空気膜構造３４０Ａの第１の縁部３４１Ａに近接して配設される。場合によっては、分離装置３１０Ａは、第１の縁部３４１Ａから第２の縁部３４２Ａに向かって延在する封入シール３１２Ａ及び封入シール３１６Ａを含み、ここで、分離要素３１４Ａが封入シール３１２Ａ内にあり、分離要素３１８Ａが封入シール３１６Ａ内にある。分離装置３１０Ａは、空気膜構造を、部分的に２つの部分（３４３Ａ、３４４Ａ）に分離するように適合されており、それによりこれらの２つの部分の相対位置を再配置することができる。２つの部分が元の位置にあるとき、第１の部分３４３Ａは、方向３０３Ａに沿った長手方向軸３０２Ａを有し、第２の部分３４４Ａは、方向３０５Ａに沿った長手方向軸３０４Ａを有する。示される例において、封入シール３１２Ａ及び封入シール３１４Ａは、共に曲線形状である。封入シール３１２Ａ及び／又は封入シール３１４Ａは、例えば、直線、曲線、閉じた連続形状（例えば、長方形形状、卵型形状等）等の形状をとることができる。分離要素３１４Ａ及び／又は分離要素３１８Ａは、脆弱化線、ミシン目、及びスリットのうちの少なくとも１つを含む。場合によっては、分離装置３１０Ａの長さは、第１の縁部３４１Ａ及び第２の縁部３４２Ａの間の長さの半分よりも大きい。
【００５０】
場合によっては、エアガイド装置３２０Ａは、空気膜構造３４０Ａの第２の縁部３４２Ａに近接して配設され、膨張媒体の流れを方向付けるように適合されている。場合によっては、エアガイド装置３２０Ａは、第１の部分３４３Ａと第２の部分３４４Ａとの間に配設される。元の構成において、第１の部分３４３Ａは方向３０３Ａに沿って配設され、第２の部分３４４Ａは方向３０５Ａに沿って配設され、ここで、３０３Ａ及び３０５Ｂの双方が対流装置の長手方向軸に沿っている。いくつかの実施形態において、エアガイド装置３２０Ａは、第２の縁部３４２Ａから空気膜構造３４０Ａに向かって延在する誘導シールを含む。示される実施形態において、エアガイド装置３２０Ａは、２つの誘導シール３２１Ａ及び３２２Ａを含み、各誘導シールは、第２の縁部３４２Ａから空気膜構造３４０Ａに向かって延在する。場合によっては、２つの誘導シール（３２１Ａ、３２２Ａ）は、空気膜構造３４０Ａの異なる部分（第１の部分３４３Ａ又は第２の部分３４４Ａ）に方向付けられる。場合によっては、２つの誘導シール（３２１Ａ、３２２Ａ）は、概ね、互いに垂直である。
【００５１】
図３Ｂは、空気膜構造３４０Ａの第１の部分３４３Ａ及び第２の部分３４４Ａが、部分的に分離された後にどのように再配置され得るかを示す。場合によっては、第１の部分３４３Ａは、第１の部分３４３Ａが、その元の方向３０３Ａから角度３３Ａを有する方向３０３Ｂに沿うように、０°と９０°との間の角度３３Ａに向けられ得る。同様に、第２の部分３４４Ａは、その第２の部分３４４Ａが、元の方向３０５Ａから角度３５Ａを有する方向３０５Ｂに沿うように、０°と９０°との間の角度３５Ａに向けられ得る。第１の部分３４３Ａ及び第２の部分３４４Ａの双方が約９０°に向けられているとき、第１の部分３４３Ａ及び第２の部分３４４Ａは、概ね、互いに平行になるように配置される。
【００５２】
図３Ｃは、任意的な分離装置及び任意的なエアガイド要素を有する対流装置３００Ｃの１つの実施形態の上面図であり、図３Ｄは、２つの部分が部分的に分離された後の図３Ｃに示される例の再構成の上面図を示す。この実施形態において、対流装置３００Ｃは、可撓性の第１の層３０７Ｃと、可撓性の第２の層（図示せず）と、開口部３３０Ｃと、任意的な分離装置３１０Ｃと、任意的なエアガイド装置３２０Ｃとを有する。場合によっては、可撓性の第１の層３０７Ｃは、空気透過性の表面を有する。可撓性の第２の層は、共通する周縁の周りの周縁シール３０６Ｃによって第１の層を接合して空気膜構造３４０Ｃを形成し、シール３０８Ｃを接合して膨張可能なチャネルを形成する。ここで、空気膜構造３４０Ｃは、第１の縁部３４１Ｃと、第１の縁部３４１Ｃに対向する第２の縁部３４２Ｃと、２つの側縁部（３４５Ｃ、３４６Ｃ）とを有する。空気膜構造３４０Ｃは、第１の部分３４３Ｃと、第２の部分３４４Ｃと、第１の部分３４３Ｃ及び第２の部分３４４Ｃを接続する膨張可能なチャネル３４５Ｃとを有する。場合によっては、対流装置３００Ｃは、概ね長方形形状の膨張可能ブランケットである。場合によっては、対流装置３００Ｃは、人の下半身を覆うのに適した下半身ブランケットとして使用され得る。
【００５３】
いくつかの実施形態において、対流装置３００Ｃは、空気膜構造３４０Ｃへの少なくとも１つの開口部３３０Ｃを含む。開口部３３０Ｃは、膨張媒体源（図示せず）に接続し、膨張媒体を提供して空気膜構造３４０Ｃを膨張させることを可能にする任意の形態、例えば、図３Ｃに示されるようなポートの周りの剛性カラーを有する入口ポートの形態をとることができる。他の例として、開口部３３０Ｃは、１つ以上の入口ポート、カフ、縁部におけるスリーブ開口部等を含むことができる。
【００５４】
いくつかの実施形態において、分離装置３１０Ｃは、空気膜構造３４０Ｃの第１の縁部３４１Ｃに近接して配設される。場合によっては、分離装置は、第１の縁部３４１Ｃから第２の縁部３４２Ｃに向かって延在する封入シール３１２Ｃを含み、ここで、分離要素３１４Ｃが封入シール３１２Ｃ内にあり、ここで、分離要素３１４Ｃは、それぞれの側縁部（３４５Ｃ、３４６Ｃ）に向かう２つの延長部（３１６Ｃ、３１８Ｃ）を有する。示される例では、延長部（３１６Ｃ、３１８Ｃ）は、直線、曲線、スリット等とすることができる。分離装置３１０Ｃは、空気膜構造を、部分的に２つの部分（３４３Ｃ、３４４Ｃ）に分離するように適合されており、それにより２つの部分の相対位置を再構成することができる。示される例では、封入シール３１２Ｃは概ねＴ字形状である。封入シール３１２Ｃは、例えば、直線、曲線、閉じた連続形状（例えば、長方形形状、卵型形状等）等の形状をとることができる。分離要素３１４Ｃは、脆弱化線、ミシン目、スリット、面ファスナー、接着性ストリップ等のうちの少なくとも１つを含む。場合によっては、分離装置３１０Ｃの長手方向の長さは、第１の縁部３４１Ｃ及び第２の縁部３４２Ｃの間の長さの半分よりも大きい。
【００５５】
場合によっては、エアガイド装置３２０Ｃは、空気膜構造３４０Ｃの第２の縁部３４２Ｃに近接して配設され、膨張媒体の流れを方向付けるように適合されている。場合によっては、エアガイド装置３２０Ｃは、第１の部分３４３Ｃと第２の部分３４４Ｃとを接続する膨張可能なチャネル３４５Ｃ内に配設される。いくつかの実施形態において、エアガイド装置３２０Ｃは、２つの誘導シール３２１Ｃ及び３２２Ｃを含み、ここで、各誘導シール（３２１Ｃ、３２２Ｃ）は波状であり、第２の縁部３４２Ｃをそれぞれの側縁部（３４５Ｃ、３４６Ｃ）に接続する。示される実施形態において、エアガイド装置３２０Ｃは、それぞれ２つの誘導シール（３２１Ｃ、３２２Ｃ）に相対する２つの波状の誘導シール３２３Ｃ及び３２４Ｃを更に含む。この例においては、誘導シール（３２１Ｃ、３２２Ｃ）は、周縁の周りでシール３０６Ｃと一体化されている。場合によっては、２つの誘導シール（３２１Ｃ、３２２Ｃ）の各々は、空気膜構造３４０Ｃの異なる部分（第１の部分３４３Ｃ又は第２の部分３４４Ｃ）に近接している。
【００５６】
図３Ｄは、空気膜構造３４０Ｃの第１の部分３４３Ｃが、部分的に分離された後にどのように再配置され得るかを示す。場合によっては、第１の部分３４３Ｃは、０°と１８０°との間の角度又はそれより大きい角度に向けられ得る。同様に、図示されていないが、第２の部分３４４Ｃは、０°と１８０°との間の角度に向けられ得る。第１の部分３４３Ｃ及び第２の部分３４４Ｃの双方が約９０°に向けられているとき、第１の部分３４３Ｃ及び第２の部分３４４Ｃは、概ね同じ線に沿って配置され、上半身ブランケットとして使用され得る。
【００５７】
図３Ｅは、任意的な分離装置及び任意的なエアガイド要素を有する対流装置３００Ｅの１つの実施形態の上面図であり、図３Ｆは、２つの部分が部分的に分離された後の図３Ｅに示される例の再構成の上面図を示す。この実施形態において、対流装置３００Ｅは、可撓性の第１の層３０７Ｅと、可撓性の第２の層（図示せず）と、開口部３３０Ｅと、任意的な分離装置３１０Ｅと、任意的なエアガイド装置３２０Ｅとを有する。場合によっては、可撓性の第１の層３０７Ｅは、空気透過性の表面を有する。可撓性の第２の層は、共通する周縁の周りのシール３０６Ｅによって第１の層を接合して空気膜構造３４０Ｅを形成し、シール３０８Ｅを接合して膨張可能なチャネルを形成する。ここで、空気膜構造３４０Ｅは、第１の縁部３４１Ｅと、第１の縁部３４１Ｅに対向する第２の縁部３４２Ｅと、２つの側縁部（３４５Ｅ、３４６Ｅ）とを有する。示される例において、第２の縁部３４２Ｅは、２つの傾斜した縁部（３４７Ｅ、３４８Ｅ）を含む。空気膜構造３４０Ｅは、第１の部分３４３Ｅと、第２の部分３４４Ｅと、第１の部分３４３Ｅ及び第２の部分３４４Ｅを接続する膨張可能なチャネル３４５Ｅとを有する。場合によっては、対流装置３００Ｅは、人の下半身を覆うのに適した下半身ブランケットとして使用され得る。
【００５８】
いくつかの実施形態において、対流装置３００Ｅは、空気膜構造３４０Ｅへの少なくとも１つの開口部３３０Ｅを含む。開口部３３０Ｅは、膨張媒体源（図示せず）に接続し、膨張媒体を提供して空気膜構造３４０Ｅを膨張させることを可能にする任意の形態、例えば、図３Ｅに示されるようなポートの周りの剛性カラーを有する入口ポートの形態をとることができる。他の例として、開口部３３０Ｅは、１つ以上の入口ポート、カフ、剛性カラーを有するポート、縁部におけるスリーブ開口部等を含むことができる。
【００５９】
いくつかの実施形態において、分離装置３１０Ｅは、空気膜構造３４０Ｅの第１の縁部３４１Ｅに近接して配設される。場合によっては、分離装置は、第１の縁部３４１Ｅから第２の縁部３４２Ｅに向かって延在する封入シール３１２Ｅを含み、ここで、分離要素３１４Ｅは、それぞれの側縁部（３４６Ｅ、３４９Ｅ）に向かう２つの延長部（３１６Ｅ、３１８Ｅ）を有し、ここで、２つの延長部（３１６Ｅ、３１８Ｅ）を有する分離要素３１４Ｅは封入シール３１２Ｅ内にある。場合によっては、延長部（３１６Ｅ、３１８Ｅ）は、直線、曲線、スリット等とすることができる。分離装置３１０Ｅは、空気膜構造を、２つの部分（３４３Ｅ、３４４Ｅ）に分離するように適合されており、それにより２つの部分の相対位置を再構成することができる。示される例では、封入シール３１２Ｅは概ねＴ字形状である。封入シール３１２Ｅは、例えば、直線、曲線、閉じた連続形状（例えば、長方形形状、卵型形状等）等の形状をとることができる。分離要素３１４Ｅは、脆弱化線、ミシン目、スリット、面ファスナー、接着性ストリップ等のうちの少なくとも１つを含む。場合によっては、分離装置３１０Ｅの長手方向の長さは、第１の縁部３４１Ｅ及び第２の縁部３４２Ｅの間の長さの半分よりも大きい。
【００６０】
場合によっては、エアガイド装置３２０Ｅは、空気膜構造３４０Ｅの傾斜した部分（３４７Ｅ、３４８Ｅ）を含む第２の縁部３４２Ｅに近接して配設され、膨張媒体の流れを方向付けるように適合されている。場合によっては、エアガイド装置３２０Ｅは、第１の部分３４３Ｅと第２の部分３４４Ｅとの間に配設される。いくつかの実施形態において、エアガイド装置３２０Ｅは、２組のエアガイド要素３２１Ｅ及び３２２Ｅを含み、ここで、エアガイド要素の各組は、第２の縁部３４２Ｅのそれぞれの傾斜した部分（３４７Ｅ、３４８Ｅ）に近接して配設される。場合によっては、エアガイド要素は、例えば、円、卵型、正方形、長方形、多角形等の任意の閉じた形状をとることができる。場合によっては、エアガイド要素は、例えば、直線、曲線等の任意の形状の小さなシールとすることができる。本明細書において使用されるとき、小さなシールとは、比較的小さい、例えば２インチ（５．０８ｃｍ）未満の長さ又は直径を有するシールを指す。示される例において、エアガイド装置３２０Ｅは、それぞれ２組のエアガイド要素（３２１Ｅ、３２２Ｅ）に相対し、分離装置３１０Ｅに近接して配設された２組のエアガイド要素３２３Ｅ及び３２４Ｅを更に含む。場合によっては、２組のエアガイド要素（３２１Ｅ、３２２Ｅ）は、空気膜構造３４０Ｅの異なる部分（第１の部分３４３Ｅ又は第２の部分３４４Ｅ）に方向付けられる。いくつかの実施形態において、１組のエアガイド要素がパターン状で配設され得る。場合によっては、１組のエアガイド要素が、等間隔で配設され得る。場合によっては、１組のエアガイド要素が、周縁シール３０６Ｅから１インチ（２．５４ｃｍ）以下に配設される。場合によっては、１組のエアガイド要素が、周縁シール３０６Ｅから２インチ（５．０８ｃｍ）以下に配設される。
【００６１】
図３Ｆは、空気膜構造３４０Ｅの第１の部分３４３Ｅ及び第２の部分３４４Ｅが、部分的に分離された後にどのように再配置され得るかを示す。場合によっては、第１の部分３４３Ｅは、０°〜１８０°の角度に向けられ得る。同様に、第２の部分３４４Ｅは、０°〜１８０°の角度に向けられ得る。第１の部分３４３Ｅ及び第２の部分３４４Ｅの双方が約９０°に向けられたとき、第１の部分３４３Ｅ及び第２の部分３４４Ｅは概ね同じ線上になるように配置される。
【００６２】
図３Ｇは、任意的な分離装置及び任意的なエアガイド要素を有する対流装置３００Ｇの１つの実施形態の上面図であり、図３Ｈは、２つの部分が部分的に分離された後の図３Ｇに示される例の再構成の上面図を示す。この実施形態では、対流装置３００Ｇは、可撓性の第１の層３０７Ｇと、可撓性の第２の層（図示せず）と、開口部３３０Ｇと、任意的な分離装置３１０Ｇと、任意的なエアガイド装置３２０Ｇとを有する。場合によっては、可撓性の第１の層３０７Ｇは、空気透過性の表面を有する。可撓性の第２の層は、共通する周縁の周りのシール３０６Ｇによって第１の層を接合して空気膜構造３４０Ｇを形成し、シール３０８Ｇを接合して膨張可能なチャネルを形成する。ここで、空気膜構造３４０Ｇは、第１の縁部３４１Ｇと、第１の縁部３４１Ｇに対向する第２の縁部３４２Ｇと、２つの側縁部（３４５Ｇ、３４６Ｇ）とを有する。空気膜構造３４０Ｇは、第１の部分３４３Ｇと、第２の部分３４４Ｇと、第１の部分３４３Ｇ及び第２の部分３４４Ｇを接続する膨張可能なチャネル３４５Ｇとを有する。場合によっては、対流装置３００Ｇは、人の下半身を覆うのに適した下半身ブランケットとして使用され得る。
【００６３】
いくつかの実施形態において、対流装置３００Ｇは、空気膜構造３４０Ｇへの少なくとも１つの開口部３３０Ｇを含む。開口部３３０Ｇは、膨張媒体源（図示せず）に接続し、膨張媒体を提供して空気膜構造３４０Ｇを膨張させることを可能にする任意の形態、例えば、図３Ｇに示されるような入口ポートの形態をとることができる。他の例として、開口部３３０Ｇは、１つ以上の入口ポート、カフ、縁部におけるスリーブ開口部等を含むことができる。
【００６４】
いくつかの実施形態において、分離装置３１０Ｇは、空気膜構造３４０Ｇの第１の縁部３４１Ｇに近接して配設される。場合によっては、分離装置３１０Ｇは、第１の縁部３４１Ｇから第２の縁部３４２Ｇに向かって延在する封入シール３１２Ｇを含み、ここで、分離要素３１４Ｇは、それぞれの側縁部（３４６Ｇ、３４９Ｇ）に向かう２つの延長部（３１６Ｇ、３１８Ｇ）を有し、ここで、分離要素３１４Ｇが封入シール３１２Ｇ内に配設される。示される例では、延長部（３１６Ｇ、３１８Ｇ）は、直線、曲線、スリット等とすることができる。分離装置３１０Ｇは、空気膜構造を、２つの部分（３４３Ｇ、３４４Ｇ）に分離するように適合されており、それにより２つの部分の相対位置を再構成することができる。示される例では、封入シール３１２Ｇは概ねＴ字形状である。封入シール３１２Ｇは、例えば、直線、曲線、閉じた連続形状（例えば、長方形形状、卵型形状等）等の形状をとることができる。分離要素３１４Ｇは、脆弱化線、ミシン目、スリット等のうちの少なくとも１つを含む。場合によっては、分離装置３１０Ｇの長手方向の長さは、第１の縁部３４１Ｇ及び第２の縁部３４２Ｇの間の長さの半分よりも大きい。
【００６５】
いくつかの実施形態において、対流装置３００Ｇは、ヘッドウォーマー３６０Ｇを含んでもよい。ヘッドウォーマー３６０Ｇは、人の首又は頭部に近接して配設されるように構成されている。ヘッドウォーマー３６０Ｇは、２つの膨張可能なセクション３６１Ｇ及び３６２Ｇを含む。示される例では、２つの部分（３６１Ｇ、３６２Ｇ）は、分離要素３６５Ｇを介して対流装置３００Ｇから部分的に分離され得る。分離要素３６５Ｇは、脆弱化線、スリット、ミシン目線等のうちの少なくとも１つを含み得る。場合によっては、ヘッドウォーマー３６０Ｇは、１つ以上の波状のシールセクションを有することができ、これらは、例えば、ヘッドウォーマーが頭部又は首の形状に沿うことを可能にし得る。いくつかの実施形態において、２つの部分３６１Ｇ及び３６２Ｇは、対流装置３００Ｇが例えば図３Ｈに示されるように再配置されているとき、人の首の側に配設され得る。
【００６６】
場合によっては、エアガイド装置３２０Ｇは、空気膜構造３４０Ｇの第２の縁部３４２Ｇに近接して配設され、膨張可能媒体の流れを方向付けるように適合されている。場合によっては、エアガイド装置３２０Ｇは、第１の部分３４３Ｇと第２の部分３４４Ｇとを接続する膨張可能なチャネル３４５Ｇ内に配設される。いくつかの実施形態において、エアガイド装置３２０Ｇは、２つの誘導シール３２１Ｇ及び３２２Ｇを含み、ここで、各誘導シール（３２１Ｇ、３２２Ｇ）は、第２の縁部３４２Ｇに近接した波状シールであり、それぞれの側縁部（３４６Ｇ、３４９Ｇ）に接続される。示されるような実施形態において、エアガイド装置３２０Ｇは、それぞれ２つの誘導シール（３２１Ｇ、３２２Ｇ）に相対し、分離装置３１０Ｇに近接して配設された２つの波状誘導シール３２３Ｇ及び３２４Ｇを更に含む。この例では、誘導シール（３２１Ｇ、３２２Ｇ）は、周縁の周りでシール３０６Ｇと一体化されている。場合によっては、２つの波状シール（３２１Ｇ、３２２Ｇ）が、空気膜構造３４０Ｇの異なる部分（第１の部分３４３Ｇ又は第２の部分３４４Ｇ）に方向付けられる。
【００６７】
図３Ｈは、空気膜構造３４０Ｇの第１の部分３４３Ｇ及び第２の部分３４４Ｇが、部分的に分離された後にどのように再配置され得るかを示す。場合によっては、第１の部分３４３Ｇは、０°〜１８０°、又は１８０°よりも大きな角度に向けられ得る。同様に、第２の部分３４４Ｇは、０°〜１８０°、又は１８０°よりも大きな角度に向けられ得る。第１の部分３４３Ｇ及び第２の部分３４４Ｇの双方が約９０°に向けられているとき、第１の部分３４３Ｇ及び第２の部分３４４Ｇは、概ね同じ線に沿って配置される。対流装置３００Ｇが２つの部分を有するヘッドウォーマー３６０Ｇを含むいくつかの実施形態において、２つの部分３６１Ｇ及び３６２Ｇは、対流装置３００Ｇが例えば図３Ｈに示されるように再配置されているとき、人の首の側に配設され得る。そのような実施形態において、対流装置３００Ｇが加熱された空気で膨張するとき、ヘッドウォーマー３６０Ｇは、人の頭部エリアに向けて、加熱された空気を与えることができる。いくつかの実施形態において、対流装置３００Ｇは、対流装置３００Ｇの設置及び／又は構成を容易にすることができる１つ以上の設置装置３３５Ｇを含んでもよい。１つ以上の設置装置３３５Ｇは、例えば、ボタン、スナップ、面ファスナー材、テープ及び／又はストラップ、又はそれらの任意の均等物を含んでもよい。図３Ｈに示されているように、設置装置３３５Ｇは、脆弱化線によって対流装置３００Ｇ内に一体形成又は画定されるタイストリップとすることができる。
【００６８】
図３Ｉは、任意的な分離装置及び任意的なヘッドウォーマーを有する対流装置３００Ｉの１つの実施形態の上面図である。図３Ｊは、ヘッドウォーマーが部分的に分離された後の図３Ｉに示される例の再構成の上面図を示し、図３Ｋは、ヘッドウォーマーがどのように使用され得るかを示す。この実施形態では、対流装置３００Ｉは、可撓性の第１の層３０７Ｉと、可撓性の第２の層（図示せず）と、開口部３３０Ｉと、任意的な分離装置３１０Ｉと、任意的なエアガイド装置３２０Ｉとを有する。場合によっては、可撓性の第１の層３０７Ｉは、空気透過性の表面を有する。可撓性の第２の層は、共通する周縁の周りのシール３０６Ｉによって第１の層を接合して空気膜構造３４０Ｉを形成し、シール３０８Ｉを接合して膨張可能なチャネルを形成する。ここで、空気膜構造３４０Ｉは、第１の縁部３４１Ｉ、第１の縁部３４１Ｉに対向する第２の縁部３４２Ｉ、及び２つの側縁部（３４５Ｉ、３４６Ｉ）を有する。空気膜構造３４０Ｉは、第１の部分３４３Ｉと、第２の部分３４４Ｉと、第１の部分３４３Ｉ及び第２の部分３４４Ｉを接続する膨張可能なチャネル３４５Ｉとを有する。場合によっては、対流装置３００Ｉは、人の下半身を覆うのに適した下半身ブランケットとして使用され得る。
【００６９】
いくつかの実施形態において、対流装置３００Ｉは、空気膜構造３４０Ｉへの少なくとも１つの開口部３３０Ｉを含む。開口部３３０Ｉは、膨張媒体源（図示せず）に接続し、その膨張媒体を提供して空気膜構造３４０Ｉを膨張させることを可能にする任意の形態、例えば、図３Ｉに示されるような入口ポートの形態をとることができる。他の例として、開口部３３０Ｉは、１つ以上の入口ポート、カフ、堅いカラーを有するポート、縁部におけるスリーブ開口部等を含むことができる。
【００７０】
いくつかの実施形態において、分離装置３１０Ｉは、空気膜構造３４０Ｉの第１の縁部３４１Ｉに近接して配設される。場合によっては、分離装置は、第１の縁部３４１Ｉから第２の縁部３４２Ｉに向かって延在する封入シール３１２Ｉを含み、ここで、分離要素３１４Ｉが封入シール３１２Ｉ内にある。分離装置３１０Ｉは、空気膜構造を、２つの部分（３４３Ｉ、３４４Ｉ）に部分的に分離するように適合されており、それにより２つの部分の相対位置を再構成することができる。封入シール３１２Ｉは、例えば、直線、曲線、閉じた連続形状（例えば、長方形形状、卵型形状等）等の形状をとることができる。分離要素３１４Ｉは、脆弱化線、ミシン目、スリット等のうちの少なくとも１つを含む。場合によっては、分離装置３１０Ｉの長手方向の長さは、第１の縁部３４１Ｉ及び第２の縁部３４２Ｉの間の長さの半分よりも大きい。
【００７１】
場合によっては、エアガイド装置３２０Ｉは、空気膜構造３４０Ｉの第２の縁部３４２Ｉに近接して配設され、膨張媒体の流れを方向付けるように適合されている。場合によっては、エアガイド装置３２０Ｉは、第１の部分３４３Ｉと第２の部分３４４Ｉとを接続する膨張可能なチャネル３４５Ｉ内に配設される。いくつかの実施形態において、エアガイド装置３２０Ｉは、２つの誘導シール３２１Ｉ及び３２２Ｉを含み、ここで、各誘導シール（３２１Ｉ、３２２Ｉ）は、第２の縁部３４２Ｉに近接し、それぞれの側縁部（３４６Ｉ、３４９Ｉ）に接続された波状誘導シールである。示される実施形態において、エアガイド装置３２０Ｉは、それぞれ２つの誘導シール（３２１Ｉ、３２２Ｉ）に相対し、分離装置３１０Ｉに近接して配設された２つの波状誘導シール３２３Ｉ及び３２４Ｉを更に含む。この例では、誘導シール（３２１Ｉ、３２２Ｉ）は、周縁の周りでシール３０６Ｉと一体化されている。場合によっては、２つの波状シール（３２１Ｉ、３２２Ｉ）が、空気膜構造３４０Ｉの異なる部分（第１の部分３４３Ｉ又は第２の部分３４４Ｉ）に方向付けられる。
【００７２】
図３Ｊは、空気膜構造３４０Ｉの第１の部分３４３Ｉ及び第２の部分３４４Ｉが、部分的に分離された後にどのように再配置され得るかを示す。場合によっては、第１の部分３４３Ｉは、０°〜１８０°、又は１８０°よりも大きな角度に向けられ得る。同様に、第２の部分３４４Ｉは、０°〜１８０°、又は１８０°よりも大きな角度に向けられ得る。第１の部分３４３Ｉ及び第２の部分３４４Ｉの双方が約９０°に向けられているとき、第１の部分３４３Ｉ及び第２の部分３４４Ｉは、概ね同じ線上に配置される。
【００７３】
いくつかの実施形態において、対流装置３００Ｉは、概ねＵ字形状であるヘッドウォーマー３６０Ｉを含む。ヘッドウォーマー３６０Ｉは、分離要素３６５Ｉを介して対流装置３００Ｉから部分的に分離され得る。分離要素３６５Ｉは、脆弱化線、スリット、ミシン目線等のうちの少なくとも１つを含み得る。いくつかの実施形態において、ヘッドウォーマー３６０Ｉは、対流装置３００Ｉが例えば図３Ｋに示されるように再配置されているとき、人の首又は頭部の側に配設され得る。場合によっては、ヘッドウォーマー３６０Ｉは、１つ以上の波状のシールセクションを有することができ、これらは、例えば、ヘッドウォーマーが頭部又は首の形状に沿うことを可能にし得る。場合によっては、ヘッドウォーマー３６０Ｉは、分離要素３６５Ｉによって対流装置から完全に分離され得る部分を含んでもよい。
【００７４】
図３Ｌは、任意的な空気誘導要素を有する対流装置３００Ｌの１つの実施形態の上面図である。１つの実施形態では、対流装置３００Ｌは、可撓性の第１の層３０７Ｌと、可撓性の第２の層（図示せず）と、開口部３３０Ｌと、任意的なエアガイド装置３２０Ｌとを有する。場合によっては、可撓性の第１の層３０７Ｌは、空気透過性の表面を有する。可撓性の第２の層は、共通する周縁の周りのシール３０６Ｌによって第１の層を接合して空気膜構造３４０Ｌを形成し、シール３０８Ｌを接合して膨張可能なチャネルを形成する。ここで、空気膜構造３４０Ｌは、第１の縁部３４１Ｌ、第１の縁部３４１Ｌに対向する第２の縁部３４２Ｌを有する。空気膜構造３４０Ｌは、第１の部分３４３Ｌと、第２の部分３４４Ｌと、第１の部分３４３Ｌ及び第２の部分３４４Ｌを接続する膨張可能なチャネル３４５Ｌとを有する。場合によっては、対流装置３００Ｌは、人の上半身を覆うのに適した膨張可能な上半身ブランケットとして使用され得る。
【００７５】
いくつかの実施形態において、対流装置３００Ｌは、空気膜構造３４０Ｌへの少なくとも１つの開口部３３０Ｌを含む。開口部３３０Ｌは、膨張媒体源（図示せず）に接続し、膨張媒体を提供して空気膜構造３４０Ｌを膨張させることを可能にする任意の形態、例えば、図３Ｌに示されるようなポートの周りの剛性カラーを有する入口ポートの形態をとることができる。他の例として、開口部３３０Ｌは、１つ以上の入口ポート、カフ、剛性カラーを有するポート、縁部におけるスリーブ開口部等を含むことができる。
【００７６】
いくつかの実施形態において、エアガイド装置３２０Ｌは、２組のエアガイド要素３２１Ｌ及び３２２Ｌを含み、ここで、エアガイド要素の各組は、それぞれの縁部（３４１Ｌ、３４２Ｌ）に近接して配設される。場合によっては、エアガイド装置３２０Ｌは、パターン状で配設された１組以上のエアガイド要素を含む。場合によっては、１組のエアガイド要素が、等間隔で配設され得る。場合によっては、１組のエアガイド要素が、周縁シール３０６Ｌから１インチ（２．５４ｃｍ）以下に配設される。場合によっては、１組のエアガイド要素が、周縁シール３０６Ｌから２インチ（５．０８ｃｍ）以下に配設される。場合によっては、エアガイド装置３２０Ｌは、互い違いのパターンで配設された３組のエアガイド要素３２１Ｌ、３２２Ｌ及び３２３Ｌを含む。
【００７７】
空気膜構造３４０Ｌの第１の部分３４３Ｌ及び第２の部分３４４Ｌは再配置され得る。場合によっては、第１の部分３４３Ｌは、０°〜１８０°の角度に向けられ得る。同様に、第２の部分３４４Ｌは、０°〜１８０°の角度に向けられ得る。第１の部分３４３Ｌ及び第２の部分３４４Ｌの双方が約９０°に向けられたとき、第１の部分３４３Ｌ及び第２の部分３４４Ｌは概ね同じ線上に配置される。第１の部分３４１Ｌ及び／又は第２の部分３４２Ｌが再配置されるとき、エアガイド装置３２０Ｌは、１つ以上の折り目を形成するのを容易にすることができ、この折り目において、対流装置３００Ｌは、対流装置３００Ｌが膨張するときにねじれ効果及び気圧降下を抑えるように曲がる。
【００７８】
いくつかの実施形態において、対流装置３００Ｌは、対流装置３００Ｌの設置及び／又は構成を容易にすることができる１つ以上の設置装置（３３５Ｌ、３５０Ｌ）を含んでもよい。１つ以上の設置装置は、例えば、接着性パッチ又はストリップ、ボタン、スナップ、面ファスナー材、テープ、及び／若しくはストラップ、又はそれらの任意の均等物を含んでもよい。図３Ｌに示されるように、設置装置３３５Ｌは、脆弱化線によって対流装置３００Ｌ内に一体形成又は画定されるタイストリップとすることができる。別の例として、設置装置３４０Ｌは、対流装置３００Ｌの縁部（例えば、縁部３４２Ｌ）に沿って配設された接着性ストリップとすることができる。
【００７９】
図４Ａ〜図４Ｈは、エアガイド装置／エアガイド要素のいくつかの例を示す。図４Ａは、２つの誘導シール４０２Ａ及び４０４Ａを含むエアガイド装置又はエアガイド要素４００Ａを示し、ここで、双方のシールが周縁シール４１０Ａから延在している。図４Ｂは、周縁シール４１０Ｂから延在する１つの誘導シール４０２Ｂを含むエアガイド装置又はエアガイド要素４００Ｂを示す。図４Ｃは、周縁シール４１０Ｃ上の第１の位置４１１Ｃから開始し、第１の位置４１１Ｃと異なる周縁シール４１０Ｃ上の第２の位置４１２Ｃにおいて終了する曲線形状の連続シール４０２Ｃを含むエアガイド装置又はエアガイド要素４００Ｃを示す。対流装置が膨張するとき、エアガイド装置４００Ｃは、対流装置内のエアガイド装置４００Ｃに近接して複数の折り目を形成することを容易にすることができ、この折り目において対流装置が曲がる。図４Ｄは、周縁シール４１０Ｄ上の第１の位置４１１Ｄから開始し、第１の位置４１１Ｄと異なる周縁シール４１０Ｄ上の第２の位置４１２Ｄにおいて終了する連続シール４０２Ｄを含むエアガイド装置又はエアガイド要素４００Ｄを示す。
【００８０】
図４Ｅは、周縁シール４１０Ｅから延在する３つの誘導シール４０２Ｅを含むエアガイド装置又はエアガイド要素４００Ｅを示す。図４Ｆは、周縁シール４１０Ｆに近接しているが接触せずに配設された１つのシール４０２Ｆを含むエアガイド装置又はエアガイド要素４００Ｆを示す。図４Ｇは、周縁シール４１０Ｇに近接しているが接触せずに配設された閉形状の１つの連続シール４０２Ｇ、すなわち、閉形状シール４０２Ｇを含むエアガイド装置又はエアガイド要素４００Ｇを示す。シール４０２Ｇは、例えば、円、卵型、正方形、長方形、多角形等の任意の閉じた形状をとることができる。場合によっては、シール４０２Ｇは、周縁シール４１０Ｇから１インチ（２．５４ｃｍ）以下に配設される。場合によっては、シール４０２Ｇは、周縁シール４１０Ｇから２インチ（５．０８ｃｍ）以下に配設される。
【００８１】
図４Ｈは、周縁シール４１０Ｈの一体部分であるか、又は周縁シール４１０Ｈに近接したエアガイド装置４００Ｈの例を示す。エアガイド装置４００Ｈは、例えば、図１Ａ、図２Ａ、及び図３Ａに示されるように、空気膜構造の第１の部分と第２の部分との間のジグザグ部分４０２Ｈを含み、それによって、ジグザグ部分４０２Ｈは、複数の分散した折り目の生成を容易にし、構成可能な対流装置が膨張し、第１の部分及び第２の部分のうちの少なくとも１つが、対流装置の一部が曲がるように再配置されるときに、屈曲部における膨張媒体の圧力降下を抑えるように膨張媒体を方向付けるように適合されている。場合によっては、ジグザグ部分４０２Ｈは周縁シール４１０Ｈと一体化される。場合によっては、周縁シール全体がジグザグにされ得る。場合によっては、ジグザグ部分４０２Ｈは波形状である。場合によっては、ジグザグ部分は、曲線形状、正方形鋸歯形状、三角形鋸歯形状、若しくは類似の形状、又は形状の組み合わせである。
【００８２】
対流装置を使用する場合によっては、ホースクランプを使用して、ホースと対流装置との間の気密接続を適切に維持してもよい。図５Ａは、ホースクランプ５００の１つの実施形態の斜視図を示し、図５Ｂは、ホースクランプ５００の側面図を示す。示される実施形態において、ホースクランプ５００は、包囲要素５１０と、包囲要素から延在する任意的な把持構成要素５２０と、包囲要素上に配設されるか又は包囲要素と一体化された任意的な係合構成要素５３０とを含む。包囲要素５１０は、内面５１２と、相対する外面５１４とを有することを含む。場合によっては、包囲要素５１０の中心角５５０は１８０°を超える。場合によっては、包囲要素５１０の中心角５５０は３６０°よりも小さい。
【００８３】
いくつかの実施形態において、係合構成要素５３０は複数の係合要素５３５を含む。いくつかの実施態様において、係合構成要素５３０は、係合要素５３５のパターン、例えば、直線パターン、波パターン、端部に近接するにつれ密度が高くなるパターン等を含む。包囲要素５１０は、第１の端部５４１と、第２の端部５４２と、中央部分５４５とを有する。場合によっては、包囲要素５１０は、半剛性又は剛性とすることができる。包囲要素５１０は、例えば、ポリカーボネート、ポリエチレン、ナイロン、アクリロニトリルブタジエンスチレン（acrylonitrile butadiene styrene、ＡＢＳ）、ポリプロピレン、ポリ塩化ビニル（polyvinyl chloride、ＰＶＣ）等の材料を含むことができる。場合によっては、把持構成要素５２０及び係合構成要素５３０は、包囲要素５１０と同じ材料を含むことができる。他の場合によっては、把持構成要素５２０及び係合構成要素５３０は、包囲要素５１０とは異なる材料を含むことができる。場合によっては、係合構成要素は、包囲要素５１０に使用される材料と同じか又は異なる材料を有することができる。場合によっては、係合構成要素５３０は、軟質材料、例えば、ウレタン、熱可塑性材料、熱可塑性エラストマー（thermoplastic elastomers、ＴＰＥ）等を使用することができる。係合要素５３５は、任意の形状、例えば、円筒、半球、プリズム、六角形プリズム、台形プリズム、立方体、直方体、円錐、ピラミッド等を有することができる。
【００８４】
図５Ｃは、ホースクランプ５００Ｃの別の実施形態の正面図を示す。ホースクランプ５００Ｃは、包囲要素５１０と、包囲要素から延在する任意的な把持構成要素５２０Ｃと、包囲要素上に配設されるか又は包囲要素と一体化された任意的な係合構成要素５３０とを含む。同じラベルを有する構成要素は、図５Ａ及び図５Ｂにおける対応する構成要素と同じか又は類似の構成、組成、機能及び／又は関係を有することができる。示される実施形態において、把持構成要素５２０Ｃは、２つの要素５２１及び５２２を含む。
【００８５】
図６Ａは、包囲要素の内面に向かうホースクランプ６００の平面図である。図６Ｂは、ホースクランプ６００の斜視図であり、図６Ｃは、ホースクランプ６００の側面図である。ホースクランプ６００は、包囲要素６１０と、任意的な把持構成要素６３０と、任意的な係合構成要素６２０Ａとを含む。包囲要素６１０は、第１の端部６１２と、第２の端部６１４と、中央部分６１６とを有する。係合構成要素６２０Ａは、１つ以上の組の係合要素６２５を含むことができる。１つの実施形態において、係合構成要素６２０Ａは、包囲要素６１０の第１の端部６１２に近接して配設された１組の係合要素６２２を含む。図６Ａに示される例では、１組の係合要素６２２は、一列に配設された複数の係合要素６２５（３つが示されている）を含み、ここで、係合要素６２５は、第１の端部６１２から斜め一列に配設されている。いくつかの実施形態において、係合構成要素６２０Ａは、包囲要素６１０の第２の端部６１４に近接して配設された１組の係合要素６２４を含む。図６Ａに示される例において、１組の係合要素６２４は、一列に配設された複数の係合要素６２５を含み、ここで、係合要素６２５は、第２の端部６１４から斜め一列に配設される。いくつかの実施形態において、係合構成要素６２０Ａは、中央部分６１６に配設された１組の係合要素６２６を含む。場合によっては、１組の係合要素６２６は、一列に配設された少なくとも３つの係合要素６２５を含む。
【００８６】
図６Ｄ〜図６Ｇは、係合構成要素のいくつかの例示的な構成を示す。図６Ｄは、互いに概ね平行であり、第１の端部６１２に近接して第２の端部６１４まで延在する３つの細長い係合要素６２２Ｄ、６２４Ｄ、及び６２６Ｄを含む係合構成要素６２０Ｄを示す。図６Ｅは、３組の係合要素（６２２Ｅ、６２４Ｅ、及び６２６Ｅ）を含む係合構成要素６２０Ｅを示す。１組の係合要素６２２Ｅは、第１の端部６１２に近接しており、一列である。１組の係合要素６２４Ｅは、第２の端部６１４に近接しており、概ね一列である。１組の係合要素６２６Ｅは、中心部分６１６に近接しており、いずれの端部にも概ね平行である。
【００８７】
図６Ｆは、３つの係合要素（６２２Ｆ、６２４Ｆ、及び６２６Ｆ）を含む係合構成要素６２０Ｆを示す。係合要素６２２Ｆは第１の端部６１２に近接して配設され、係合要素６２４Ｆは第２の端部６１４に近接して配設され、係合要素６２６Ｆは中心部分６１６に配設される。３つの係合要素６２２Ｆ、６２４Ｆ、及び６２６Ｆは、示されるように包囲要素６１０の縁部に対して異なる距離を有する場所に配設されてもよい。図６Ｇは、複数の係合要素６２５を含む係合構成要素６２０Ｇを示す。１つの実施形態において、係合要素６２５は、第１の端部６１２から第２の端部６１４まで包囲要素６１０にわたって不連続に配設され得る。
【００８８】
図７は、対流装置及びホース接続を維持するためのホースクランプを使用して温度を制御するシステム７００の１つの実施形態を示す。システム７００は、膨張媒体源（図示せず）に接続するように構成されたホース７１０、ホースクランプ７２０、及び対流装置７３０を含む。ホースクランプ７２０は、包囲要素７２２と、包囲要素７２２から延在する任意的な把持構成要素７２４とを含む。いくつかの実施形態において、対流装置７３０は、可撓性の第１の層７３１と、共通する周縁の周りのシール７３４によって第１の相７３１を接合して空気膜構造７４０を形成する可撓性の第２の層７３２と、空気膜構造７４０への開口部７３５とを含む。第１の層７３１及び／又は第２の層７３２は、空気透過性の表面を有する。ホースクランプ７２０は、ホース７１０の端部が開口部７３５内に挿入されるときに、対流装置７３０及びホース７１０の概ね気密の接続を維持するように構成されている。
【００８９】
ホースクランプ７２０は、本開示において説明されるホースクランプの実施形態のうち任意のものを使用することができる。場合によっては、包囲要素７２２は、内面と、相対する外面とを有し、ここで、内面は、外面より高い摩擦係数を有する。場合によっては、ホース７１０の外面が相対的に高い摩擦係数を有する。
【００９０】
いくつかの実施形態において、対流装置７３０は、開口部７３５の片側又は両側に沿って１つ又は２つのスリット７３７を含み、ここで、ホースクランプ７２０の片側又は両側は、ホースクランプ７２０が使用されているときに、スリット７３７を通るように構成されている。場合によっては、スリット７３７はシール（図示せず）によって取り囲まれている。構成によっては、スリット７３７は対流装置７３０の縁部にある。他の構成によっては、スリット７３７は、対流装置７３０の縁部にない。そのような構成において、スリット７３７を取り囲むシールは、封入されたシールである。スリット７３７は、例えば、細長い開口部、脆弱化線、ミシン目等を含むことができる。
【００９１】
場合によっては、本明細書に記載の任意の対流装置実施形態を有する１つ以上の対流装置を、ガウンに取り付け、ガウンから取り外すことができる。図８は、本明細書に記載の任意の対流装置実施形態を使用する対流装置８１０を有するガウン８００の１つの実施形態を示す。場合によっては、対流装置８１０は折り畳んで、密閉されたポーチ又はガウン８００のポケットに入れることができる。そのような場合、対流装置８１０は、使用されるとき、ポーチ又はポケットから取り出され得る。場合によっては、対流装置８１０は、アタッチメント装置を使用してガウン８００に取り外し可能に取り付けられ得る。アタッチメント装置は、任意の取り外し可能なアタッチメント手段、例えば、両面接着、ミシン目付き切り取りタブ、面ファスナー、スナップ、リベット、再貼付け可能な接着、機械的に再密閉可能なファスナー等とすることができる。いくつかの構成では、対流装置８１０は、ガウン８００と別個に折り畳まれ得る。例えば、対流装置８１０は、ガウン８００のポケットに格納され得る。別の例として、対流装置８１０及びガウン８００は、キットとして共に配設され得る。示される実施形態において、ガウンは、追加の対流装置８０５を含む。対流装置８１０は、２つの部分（８４３、８４４）と、２つの部分を接続する膨張可能なチャネル８４５とを含む。
【００９２】
いくつかの実施形態において、対流装置８１０は、２つの部分（８４３、８４４）を有する。対流装置８１０は、分離装置８１２によって対流装置８０６から分離されている。分離装置８１２は、シール８１４と、分離要素８１６とを含む。場合によっては、対流装置８１０は、膨張可能なチャネル８４５内に配設されたエアガイド装置８２０を含む。対流装置８１０は、膨張媒体源に接続するための開口部８１７を含む。対流装置８０５は、膨張媒体源に接続するための開口部８０７を含む。分離装置８１２及びエアガイド装置８２０は、本明細書に開示される任意の実施形態を使用することができる。場合によっては、対流装置８１０は、ガウンから取り外され、２つの部分８４３及び８４４が異なる相対位置（例えば、ほぼ同じ線に沿って延在する）に配置されるように再配置され得る。そのような場合、エアガイド装置８２０は、構成可能な対流装置８００が、膨張するときに、屈曲部において膨張媒体の圧力降下を抑えるように、エアガイド装置の縁部において折り目を形成するのを容易にするように構成される。
【００９３】
図９は、構成可能な対流装置の使用の例示的な流れ図を示す。構成可能な対流装置は、本明細書に説明される構成のうちの任意のものを用いることができる。はじめに、構成可能な対流装置を膨張させる（ステップ９１０）。任意的なステップとして、構成可能な対流装置が分離装置を含む場合、分離された装置を使用して、対流装置を２つの部分に部分的に分離する。例えば、第１の部分をある角度に曲げることによって、対流装置の第１の部分を第１の所望の位置に配置する（ステップ９２０）。任意的に、例えば、第１の部分をある角度に曲げることによって、対流の第２の部分を第２の所望の位置に配置する（スッテプ９３０）。例えば、タイストリップ又は接着性ストリップ等の対流装置の設置装置を使用するか、対流装置を貼るためのシートを使用するか、又は使用者の身体部分の下に対流装置の一部分をたくし込むことによって、対流装置を使用者の上に固定する（ステップ９４０）。
例示的な実施形態
【００９４】
項目Ａ１．構成可能な対流装置であって、
空気透過性の表面を有する可撓性の第１の層と、
共通する周縁の周りのシールによって第１の層を接合して空気膜構造を形成する可撓性の第２の層であって、空気膜構造は、第１の縁部と、相対する第２の縁部とを有する、可撓性の第２の層と、
空気膜構造内への少なくとも１つの開口部と、
第１の縁部に近接して配設され、空気膜構造の一部を第１の部分及び第２の部分に分離するように適合されている分離装置であって、
第１の縁部から第２の縁部に向かって延在する封入シールと、
封入シール内の分離要素と、を含む、分離装置と、
第２の縁部に近接して、第１の部分と第２の部分との間に配設されたエアガイド装置であって、第１の部分及び第２の部分のうちの少なくとも１つが曲がっているときに屈曲部において膨張媒体の流れを方向付けるように構成されたエアガイド装置と、を含む、構成可能な対流装置。
【００９５】
項目Ａ２．封入シールの少なくとも一部分は、概ね、第１の縁部に垂直である、項目Ａ１に記載の構成可能な対流装置。
【００９６】
項目Ａ３．分離要素は、脆弱化線、ミシン目、及びスリットのうちの少なくとも１つを含む、項目Ａ１又はＡ２に記載の構成可能な対流装置。
【００９７】
項目Ａ４．分離装置は、第２の封入シールと、第２の封入シール内の第２の分離要素とを更に含む、項目Ａ１〜Ａ３のいずれか１つに記載の構成可能な対流装置。
【００９８】
項目Ａ５．エアガイド装置は、第２の縁部から空気膜構造に向かって延在する誘導シールを含む、項目Ａ１〜Ａ４のいずれか１つに記載の構成可能な対流装置。
【００９９】
項目Ａ６．第１の部分は、第１の方向に沿った第１の長手方向軸を有し、第１の部分は、第１の長手方向軸が、第１の方向と異なる第２の方向に沿うように配置されるように適合されている、項目Ａ１〜Ａ５のいずれか１つに記載の構成可能な対流装置。
【０１００】
項目Ａ７．第２の方向は第１の方向に概ね垂直である、項目Ａ６に記載の構成可能な対流装置。
【０１０１】
項目Ａ８．第２の部分は、第３の方向に沿って第２の長手方向軸を有し、第２の部分は、第２の長手方向軸が、第３の方向と異なる第４の方向に沿うように配置されるように適合されている、項目Ａ６に記載の構成可能な対流装置。
【０１０２】
項目Ａ９．第４の方向は、第３の方向に概ね垂直である、項目Ａ８に記載の構成可能対流装置。
【０１０３】
項目Ａ１０．エアガイド装置は、２つの誘導シールを含み、各誘導シールは、第２の縁部から空気膜構造に向かって延在する、項目Ａ１〜Ａ９のいずれか１つに記載の構成可能対流装置。
【０１０４】
項目Ａ１１．２つの誘導シールは互いに概ね垂直である、Ａ１０に記載の構成可能な対流装置。
【０１０５】
項目Ａ１２．エアガイド装置は、第２の縁部上の第１の位置から開始し、第２の縁部上の第２の位置において終了する連続シールを含み、第１の位置は第２の位置と異なる、項目Ａ１〜Ａ１１のいずれか１つに記載の構成可能な対流装置。
【０１０６】
項目Ａ１３．空気膜構造は、第１の縁部と第２の縁部との間の平均長さを有し、分離装置の長さは空気膜構造の平均長さの半分以上である、項目Ａ１〜Ａ１２のいずれか１つに記載の構成可能な対流装置。
【０１０７】
項目Ａ１４．空気膜構造は幅を有し、第２の縁部は、第１の端部及び第２の端部を有し、エアガイド装置は、第２の縁部の第１の端部からの幅の２／５の距離にある開始点と、第２の縁部の第２の端部からの幅の２／５の距離にある終点とを有するエリア内にある空気膜構造の中心部に配設されている、項目Ａ１〜Ａ１２のいずれか１つに記載の構成可能な対流装置。
【０１０８】
項目Ａ１５．エアガイド装置は、共通する周縁の周りのシールと一体化された波状のシールを含む、項目Ａ１〜Ａ１４のうちのいずれか１つに記載の構成可能な対流装置。
【０１０９】
項目Ａ１６．エアガイド装置は、共通する周縁の周りのシールに近接して配設された複数の区画されたシールを含む、項目Ａ１〜Ａ１５のうちのいずれか１つに記載の構成可能な対流装置。
【０１１０】
項目Ａ１７．人の首に近接して配設されるように構成されたヘッドウォーマーを更に含み、ヘッドウォーマーは、構成可能な対流装置から部分的に分離された１つ以上の膨張可能なセクションを含む、項目Ａ１〜Ａ１６のうちのいずれか１つに記載の構成可能な対流装置。
【０１１１】
項目Ａ１８．ヘッドウォーマーは、２つの隣接した膨張可能なセクションを含む、項目Ａ１７に記載の構成可能な対流装置。
【０１１２】
項目Ａ１９．ヘッドウォーマーはＵ字形状の膨張可能なセクションを含む、項目Ａ１７に記載の構成可能な対流装置。
【０１１３】
項目Ａ２０．
空気透過性の表面を有する可撓性の第１の層と、
共通する周縁の周りのシールによって第１の層を接合して空気膜構造を形成する可撓性の第２の層であって、空気膜構造は、第１の縁部と、対向する第２の縁部とを有する、可撓性の第２の層と、
空気膜構造内への少なくとも１つの開口部と、
第１の縁部に近接して配設され、空気膜構造の一部を第１の部分及び第２の部分に分離するように適合されている分離装置であって、
第１の縁部から第２の縁部に向かって延在する封入シールと、
封入シール内の分離要素と、を含む、分離装置と、
第２の縁部に近接して配設され、第１の部分及び第２の部分のうちの少なくとも１つが曲がっているときに、屈曲部において膨張媒体の流れを方向付けるように構成される、エアガイド装置と、を含み、
空気膜構造の第１の部分は第１の長手方向軸を有し、空気膜構造の第２の部分は第２の長手方向軸を有し、第１の長手方向軸及び第２の長手方向軸は、概ね同じ線に沿って延在する、膨張可能な上半身ブランケット。
【０１１４】
項目Ａ２１．封入シールの少なくとも一部分は、第１の縁部に概ね垂直である、項目Ａ２０に記載の膨張可能な上半身ブランケット。
【０１１５】
項目Ａ２２．分離要素は、脆弱化線、ミシン目、及びスリットのうちの少なくとも１つを含む、項目Ａ２０又はＡ２１に記載の膨張可能な上半身ブランケット。
【０１１６】
項目Ａ２３．分離装置は、第２の封入シールと、第２の封入シール内の第２の分離要素とを更に含む、項目Ａ２０〜Ａ２２のいずれか１つに記載の膨張可能な上半身ブランケット。
【０１１７】
項目Ａ２４．エアガイド装置は、第２の縁部から空気膜構造に向かって延在する誘導シールを含む、項目Ａ２０〜Ａ２３のいずれか１つに記載の膨張可能な上半身ブランケット。
【０１１８】
項目Ａ２５．第１の長手方向軸は、第１の方向に沿い、第１の部分は、第１の長手方向軸が第１の方向と異なる第２の方向に沿うように配置されるように適合されている、項目Ａ２０〜Ａ２４のいずれか１つに記載の膨張可能な上半身ブランケット。
【０１１９】
項目Ａ２６．第２の方向は、第１の方向に概ね垂直である、項目Ａ２５に記載の膨張可能な上半身ブランケット。
【０１２０】
項目Ａ２７．第２の長手方向軸は、第３の方向に沿い、第２の部分は、第２の長手方向軸が第３の方向と異なる第４の方向に沿うように配置されるように適合されている、項目Ａ２５に記載の膨張可能な上半身ブランケット。
【０１２１】
項目Ａ２８．第４の方向は、第３の方向に概ね垂直である、項目Ａ２７に記載の膨張可能な上半身ブランケット。
【０１２２】
項目Ａ２９．エアガイド装置は２つの誘導シールを含み、各誘導シールは、第２の縁部から空気膜構造に向かって延在する、項目Ａ２０〜Ａ２８のいずれか１つに記載の膨張可能な上半身ブランケット。
【０１２３】
項目Ａ３０．２つの誘導シールは互いに概ね垂直である、Ａ２９に記載の膨張可能な上半身ブランケット。
【０１２４】
項目Ａ３１．エアガイド装置は、第２の縁部上の第１の位置から開始し、第２の縁部上の第２の位置において終了する連続シールを含み、第１の位置は第２の位置と異なる、項目Ａ２０〜Ａ３０のいずれか１つに記載の膨張可能な上半身ブランケット。
【０１２５】
項目Ａ３２．空気膜構造は、第１の縁部と第２の縁部との間の平均長さを有し、分離装置の長さは空気膜構造の平均長さの半分以上である、項目Ａ２０〜Ａ３１のいずれか１つに記載の膨張可能な上半身ブランケット。
【０１２６】
項目Ａ３３．
空気透過性の表面を有する可撓性の第１の層と、
共通する周縁の周りの周縁シールによって第１の層を接合して空気膜構造を形成する可撓性の第２の層であって、空気膜構造は、第１の縁部と、対向する第２の縁部とを有し、空気膜構造は、第１の部分、第２の部分、及び第１の部分と第２の部分を接続する膨張可能なチャネルを含む、可撓性の第２の層と、
空気膜構造内への少なくとも１つの開口部と、
第１の部分と第２の部分との間に配設されたエアガイド装置であって、第１の部分及び第２の部分のうちの少なくとも１つが曲がっているときに屈曲部において膨張媒体の流れを方向付けるように構成されたエアガイド装置と、を含む、膨張可能な上半身ブランケット。
【０１２７】
項目Ａ３４．エアガイド装置は、第１の縁部付近の周縁シールに近接して配設された第１の組のエアガイドシールを含む、項目Ａ３３に記載の膨張可能な上半身ブランケット。
【０１２８】
項目Ａ３５．エアガイド装置は、第２の縁部付近の周縁シールに近接して配設された第２の組のエアガイドシールを含む、項目Ａ３３又はＡ３４に記載の膨張可能な上半身ブランケット。
【０１２９】
項目Ｂ１．構成可能な対流装置であって、
空気透過性の表面を有する可撓性の第１の層と、
共通する周縁の周りのシールによって第１の層を接合して空気膜構造を形成する可撓性の第２の層であって、空気膜構造は、第１の縁部と、対向する第２の縁部とを有し、空気膜構造は、第１の部分、第２の部分、及び第１の部分と第２の部分を接続する膨張可能なチャネルを含む、可撓性の第２の層と、
空気膜構造内への少なくとも１つの開口部と、
第１の縁部上で、第１の部分と第２の部分との間に配設された分離装置であって、
第１の縁部から第２の縁部に向かって延在する封入シールと、
封入シール内の分離要素と、を含む、分離装置と、
第１の部分と第２の部分との間に配設されたエアガイド装置であって、第１の部分及び第２の部分のうちの少なくとも１つが曲がっているときに屈曲部において膨張媒体の流れを方向付けるように構成されたエアガイド装置と、を含む、構成可能な対流装置。
【０１３０】
項目Ｂ２．エアガイド装置は、第２の縁部に近接して配設されている、項目Ｂ１に記載の構成可能な対流装置。
【０１３１】
項目Ｂ３．エアガイド装置は、構成可能な対流装置が膨張し、第１の部分及び第２の部分のうちの少なくとも１つが、対流装置の一部が曲がるように再配置されるときに、エアガイド装置の縁部において折り目を形成するのを容易にするように構成される、項目Ｂ１又はＢ２に記載の構成可能な対流装置。
【０１３２】
項目Ｂ４．空気膜構造は幅を有し、第２の縁部は、第１の端部及び第２の端部を有し、エアガイド装置は、第２の縁部の第１の端部からの幅の２／５の距離にある開始点と、第２の縁部の第２の端部からの幅の２／５の距離にある終点とを有するエリア内にある空気膜構造の中心部に配設されている、項目Ｂ１〜Ｂ３のいずれか１つに記載の構成可能な対流装置。
【０１３３】
項目Ｂ５．エアガイド装置は、第２の縁部により近く、第１の縁部からより離れた膨張可能なチャネルの半分の部分に配設されている、項目Ｂ１〜Ｂ４のいずれか１つに記載の構成可能な対流装置。
【０１３４】
項目Ｂ６．封入シールの少なくとも一部分は、第１の縁部と概ね垂直である、項目Ｂ１〜Ｂ５のいずれか１つに記載の構成可能な対流装置。
【０１３５】
項目Ｂ７．分離要素は、脆弱化線、ミシン目、及びスリットのうちの少なくとも１つを含む、項目Ｂ１〜Ｂ６のいずれか１つに記載の構成可能な対流装置。
【０１３６】
項目Ｂ８．分離装置は、第２の封入シールと、第２の封入シール内の第２の分離要素を更に含む、項目Ｂ１〜Ｂ７のいずれか１つに記載の構成可能な対流装置。
【０１３７】
項目Ｂ９．エアガイド装置は、第２の縁部から空気膜構造に向かって延在する誘導シールを含む、項目Ｂ１〜Ｂ８のいずれか１つに記載の構成可能な対流装置。
【０１３８】
項目Ｂ１０．第１の部分は、第１の方向に沿った第１の長手方向軸を有し、第１の部分は、第１の長手方向軸が、第１の方向と異なる第２の方向に沿うように配置されるように適合されている、項目Ｂ１〜Ｂ９のいずれか１つに記載の構成可能な対流装置。
【０１３９】
項目Ｂ１１．第２の方向は第１の方向に概ね垂直である、項目Ｂ１０に記載の構成可能な対流装置。
【０１４０】
項目Ｂ１２．第２の部分は、第３の方向に沿った第２の長手方向軸を有し、第２の部分は、第２の長手方向軸が、第３の方向と異なる第４の方向に沿うように配置されるように適合されている、項目Ｂ１０に記載の構成可能な対流装置。
【０１４１】
項目Ｂ１３．第４の方向は第３の方向に概ね垂直である、項目Ｂ１２に記載の構成可能な対流装置。
【０１４２】
項目Ｂ１４．エアガイド装置は、２つの誘導シールを含み、各誘導シールは、第２の縁部に近接して空気膜構造に向かって延在する、項目Ｂ１〜Ｂ１３のいずれか１つに記載の構成可能な対流装置。
【０１４３】
項目Ｂ１５．２つの誘導シールは互いに概ね垂直である、項目Ｂ１４に記載の構成可能な対流装置。
【０１４４】
項目Ｂ１６．エアガイド装置は、第２の縁部上の第１の位置から開始し、第２の縁部上の第２の位置において終了する連続シールを含み、第１の位置は第２の位置と異なる、項目Ｂ１〜Ｂ１５のいずれか１つに記載の構成可能な対流装置。
【０１４５】
項目Ｂ１７．空気膜構造は、第１の縁部と第２の縁部との間の平均長さを有し、分離装置の長さは空気膜構造の平均長さの半分以上である、項目Ｂ１〜Ｂ１６のいずれか１つに記載の構成可能な対流装置。
【０１４６】
項目Ｂ１８．構成可能な対流装置であって、
空気透過性の表面を有する可撓性の第１の層と、
共通する周縁の周りのシールによって第１の層を接合して空気膜構造を形成する可撓性の第２の層であって、空気膜構造は、第１の縁部と、対向する第２の縁部とを有し、空気膜構造は、第１の部分、第２の部分、及び第１の部分と第２の部分を接続する膨張可能なチャネルを含む、可撓性の第２の層と、
空気膜構造内への少なくとも１つの開口部と、
第１の縁部上で、第１の部分と第２の部分との間に配設された分離装置であって、
第１の縁部から第２の縁部に向かって延在する封入シールと、
封入シール内の分離要素と、を含む、分離装置と、を含み、
第２の縁部は、空気膜構造の第１の部分と第２の部分との間に正弦波状の部分を含み、それによって、構成可能な対流装置が膨張し、第１の部分及び第２の部分のうちの少なくとも１つが曲がっているときに、正弦波状の部分が膨張媒体を方向付けるように適合されている、構成可能な対流装置。
【０１４７】
項目Ｂ１９．第２の縁部の少なくとも一部分が正弦波状である、項目Ｂ１８に記載の構成可能な対流装置。
【０１４８】
項目Ｂ２０．正弦波状の部分は波状の形状である、項目Ｂ１８又はＢ１９に記載の構成可能な対流装置。
【０１４９】
項目Ｂ２１．正弦波状の部分は曲線形状である、項目Ｂ１８〜Ｂ２０のいずれか１つに記載の構成可能な対流装置。
【０１５０】
項目Ｃ１．
内面と、相対する外面とを有する包囲要素と、
包囲要素から延在する把持構成要素と、
包囲要素上に配設されるか又は包囲要素と一体化され、複数の係合要素を含む係合構成要素と、を含む、ホースクランプ。
【０１５１】
項目Ｃ２．包囲要素は第１の端部及び第２の端部を有し、係合構成要素は、第１の端部に近接して配設された第１の組の係合要素を含む、項目Ｃ１に記載のホースクランプ。
【０１５２】
項目Ｃ３．係合構成要素は、第２の端部に近接して配設された第２の組の係合要素を更に含む、項目Ｃ２に記載のホースクランプ。
【０１５３】
項目Ｃ４．第１の組の係合要素は、一列に配設された少なくとも３つの係合要素を含む、項目Ｃ２に記載のホースクランプ。
【０１５４】
項目Ｃ５．少なくとも３つの係合要素は、第１の端部から斜め一列に配設されている、項目Ｃ４に記載のホースクランプ。
【０１５５】
項目Ｃ６．第２の組の係合要素は、一列に配設された少なくとも３つの係合要素を含む、項目Ｃ３に記載のホースクランプ。
【０１５６】
項目Ｃ７．少なくとも３つの係合要素は、第２の端部から斜め一列に配設されている、項目Ｃ６に記載のホースクランプ。
【０１５７】
項目Ｃ８．包囲要素は中央部分を有し、係合構成要素は、中央部分に配設された第３の組の係合要素を含む、項目Ｃ１〜Ｃ７のいずれか１つに記載のホースクランプ。
【０１５８】
項目Ｃ９．第３の組の係合要素は、一列に配設された少なくとも３つの係合要素を含む、項目Ｃ８に記載のホースクランプ。
【０１５９】
項目Ｄ１．対流装置を使用して温度を制御するシステムであって、
膨張媒体源に接続するように構成されたホースと、
対流装置であって、
空気透過性の表面を有する可撓性の第１の層と、
共通する周縁の周りのシールによって第１の層を接合して空気膜構造を形成する可撓性の第２の層と、
空気膜構造内への開口部と、を含む、対流装置と、
ホースクランプであって、
包囲要素と、
包囲要素から延在する把持構成要素と、を含み、
ホースクランプは、ホースの端部が開口部内に挿入されるときに、対流装置とホースとの概ね気密の接続を維持するように構成される、ホースクランプと、を含む、システム。
【０１６０】
項目Ｄ２．包囲要素は内面及び相対する外面を有し、内面は外面よりも高い摩擦係数を有する、項目Ｄ１に記載のシステム。
【０１６１】
項目Ｄ３．包囲要素の中心角は１８０°を超える、項目Ｄ１又はＤ２に記載のシステム。
【０１６２】
項目Ｄ４．包囲要素の中心角は３６０°よりも小さい、項目Ｄ１〜Ｄ３のいずれか１つに記載のシステム。
【０１６３】
項目Ｄ５．対流装置は、
開口部の側面に沿った封入されたシールと、
封入されたシール内のスリットと、を更に含み、
ホースクランプの側面は、ホースクランプが使用されているときに、スリットを通るように構成されている、項目Ｄ１〜Ｄ４のいずれか１つに記載のシステム。
【０１６４】
項目Ｄ６．ホースクランプは、包囲要素上に配設されるか又は包囲要素と一体化され、複数の係合要素を含む係合構成要素を更に含む、項目Ｄ１〜Ｄ５のいずれか１つに記載のシステム。
【０１６５】
項目Ｄ７．包囲要素は第１の端部及び第２の端部を有し、係合構成要素は、第１の端部に近接して配設された第１の組の係合要素を含む、項目Ｄ６に記載のシステム。
【０１６６】
項目Ｄ８．係合構成要素は、第２の端部に近接して配設された第２の組の係合要素を更に含む、項目Ｄ７に記載のシステム。
【０１６７】
項目Ｄ９．第１の組の係合要素は、一列に配設された少なくとも３つの係合要素を含む、項目Ｄ７に記載のシステム。
【０１６８】
項目Ｄ１０．少なくとも３つの係合要素は、第１の端部から斜め一列に配設されている、項目Ｄ９に記載のシステム。
【０１６９】
項目Ｄ１１．第２の組の係合要素は、一列に配設された少なくとも３つの係合要素を含む、項目Ｄ８に記載のシステム。
【０１７０】
項目Ｄ１２．少なくとも３つの係合要素は、第２の端部から斜め一列に配設されている、項目Ｄ１１に記載のシステム。
【０１７１】
項目Ｄ１３．包囲要素は中央部分を有し、係合構成要素は、中央部分に配設された第３の組の係合要素を含む、項目Ｄ６に記載のシステム。
【０１７２】
項目Ｄ１４．第３の組の係合要素は、一列に配設された少なくとも３つの係合要素を含む、項目Ｄ１３に記載のシステム。
【０１７３】
項目Ｅ１．
衣類と、
構成可能な対流装置であって、
空気透過性の表面を有する可撓性の第１の層と、
共通する周縁の周りのシールによって第１の層を接合して空気膜構造を形成する可撓性の第２の層であって、空気膜構造は、第１の縁部と、対向する第２の縁部とを有する、可撓性の第２の層と、
空気膜構造内への少なくとも１つの開口部と、
第１の縁部に近接して配設され、空気膜構造の一部を第１の部分及び第２の部分に分離するように適合されている分離装置であって、
第１の縁部から第２の縁部に向かって延在する封入シールと、
封入シール内の分離要素と、を含む、分離装置と、を含む、構成可能な対流装置と、
構成対流装置を衣類に取り付けるように構成されたアタッチメント装置と、を含む、組み合わせ。
【０１７４】
項目Ｅ２．構成可能な対流装置は、
第２の縁部に近接して、第１の部分と第２の部分との間に配設されたエアガイド装置であって、第１の部分及び第２の部分のうちの少なくとも１つが曲がっているときに屈曲部における膨張媒体の流れを方向付けるように構成されたエアガイド装置を更に含む、項目Ｅ１に記載の組み合わせ。
【０１７５】
項目Ｅ３．封入シールの少なくとも一部分は、概ね、第１の縁部に垂直である、項目Ｅ１又はＥ２に記載の組み合わせ。
【０１７６】
項目Ｅ４．分離要素は、脆弱化線、ミシン目、及びスリットのうちの少なくとも１つを含む、項目Ｅ１〜Ｅ３のいずれか１つに記載の組み合わせ。
【０１７７】
項目Ｅ５．分離装置は、第２の封入シールと、第２の封入シール内の第２の分離要素とを更に含む、項目Ｅ１〜Ｅ４のいずれか１つに記載の組み合わせ。
【０１７８】
項目Ｅ６．エアガイド装置は、第２の縁部から空気膜構造に向かって延在する誘導シールを含む、項目Ｅ２に記載の組み合わせ。
【０１７９】
項目Ｅ７．第１の部分は、第１の方向に沿った第１の長手方向軸を有し、第１の部分は、第１の長手方向軸が、第１の方向と異なる第２の方向に沿うように配置されるように適合されている、項目Ｅ１〜Ｅ６のいずれか１つに記載の組み合わせ。
【０１８０】
項目Ｅ８．第２の方向は第１の方向に概ね垂直である、項目Ｅ７に記載の組み合わせ。
【０１８１】
項目Ｅ９．第２の部分は、第３の方向に沿って第２の長手方向軸を有し、第２の部分は、第２の長手方向軸が、第３の方向と異なる第４の方向に沿うように配置されるように適合されている、項目Ｅ８に記載の組み合わせ。
【０１８２】
項目Ｅ１０．第４の方向は、第３の方向に概ね垂直である、項目Ｅ９に記載の組み合わせ。
【０１８３】
項目Ｅ１１．エアガイド装置は、２つの誘導シールを含み、各誘導シールは、第２の縁部から空気膜構造に向かって延在する、項目Ｅ２に記載の組み合わせ。
【０１８４】
項目Ｅ１２．２つの誘導シールは互いに概ね垂直である、項目Ｅ１１に記載の組み合わせ。
【０１８５】
項目Ｅ１３．エアガイド装置は、第２の縁部上の第１の位置から開始し、第２の縁部上の第２の位置において終了する連続シールを含み、第１の位置は第２の位置と異なる、項目Ｅ２に記載の組み合わせ。
【０１８６】
項目Ｅ１４．空気膜構造は、第１の縁部と第２の縁部との間の平均長さを有し、分離装置の長さは空気膜構造の平均長さの半分以上である、項目Ｅ１〜Ｅ１３のいずれか１つに記載の組み合わせ。
【０１８７】
項目Ｅ１５．空気膜構造は幅を有し、第２の縁部は、第１の端部及び第２の端部を有し、エアガイド装置は、第２の縁部の第１の端部からの幅の２／５の距離にある開始点と、第２の縁部の第２の端部からの幅の２／５の距離にある終点とを有するエリア内にある空気膜構造の中心部に配設されている、項目Ｅ２に記載の組み合わせ。
【０１８８】
項目Ｅ１６．エアガイド装置は、共通する周縁の周りのシールと一体化された波状のシールを含む、項目Ｅ２に記載の組み合わせ。
【０１８９】
項目Ｅ１７．エアガイド装置は、共通する周縁の周りのシールに近接して配設された複数の区画されたシールを含む、項目Ｅ２に記載の組み合わせ。
【０１９０】
項目Ｅ１８．構成可能な対流装置は、人の首に近接して配設されるように構成されたヘッドウォーマーを更に含み、ヘッドウォーマーは、構成可能な対流装置から部分的に分離された１つ以上の膨張可能なセクションを含む、項目Ｅ１〜Ｅ１７のいずれか１つに記載の組み合わせ。
【０１９１】
項目Ｅ１９．ヘッドウォーマーは、２つの隣接した膨張可能なセクションを含む、項目Ｅ１８に記載の組み合わせ。
【０１９２】
項目Ｅ２０．ヘッドウォーマーはＵ字形状の膨張可能なセクションを含む、項目Ｅ１８に記載の組み合わせ。
【０１９３】
項目Ｅ２１．アタッチメント装置は、両面接着ストリップ、ミシン目付き切り取りタブ、面ファスナー、スナップ、リベット、再貼付け可能な接着ストリップ、機械的に再密閉可能なファスナーのうちの少なくとも１つを含む、項目Ｅ１〜Ｅ２０のいずれか１つに記載の組み合わせ。
【０１９４】
項目Ｆ１．
衣類と、
構成可能な対流装置であって、
空気透過性の表面を有する可撓性の第１の層と、
共通する周縁の周りのシールによって第１の層を接合して空気膜構造を形成する可撓性の第２の層であって、空気膜構造は、第１の縁部と、対向する第２の縁部とを有する、可撓性の第２の層と、
空気膜構造内への少なくとも１つの開口部と、
第２の縁部に近接して、第１の部分と第２の部分との間に配設されたエアガイド装置であって、第１の部分及び第２の部分のうちの少なくとも１つが曲がっているときに屈曲部における膨張媒体の流れを方向付けるように構成されたエアガイド装置と、を含む、構成可能な対流装置と、
構成対流装置を衣類に取り付けるように構成されたアタッチメント装置と、を含む、組み合わせ。
【０１９５】
項目Ｆ２．構成可能な対流装置は、第１の縁部に近接して配設され、空気膜構造の一部を第１の部分及び第２の部分に分離するように適合されている分離装置であって、
第１の縁部から第２の縁部に向かって延在する封入シールと、
封入シール内の分離要素と、を含む、分離装置を更に含む、項目Ｆ１に記載の組み合わせ。
【０１９６】
項目Ｆ３．封入シールの少なくとも一部分は、第１の縁部に概ね垂直である、項目Ｆ２に記載の組み合わせ。
【０１９７】
項目Ｆ４．分離要素は、脆弱化線、ミシン目、及びスリットのうちの少なくとも１つを含む、項目Ｆ２又はＦ３に記載の組み合わせ。
【０１９８】
項目Ｆ５．分離装置は、第２の封入シールと、第２の封入シール内の第２の分離要素とを更に含む、項目Ｆ２に記載の組み合わせ。
【０１９９】
項目Ｆ６．エアガイド装置は、第２の縁部から空気膜構造に向かって延在する誘導シールを含む、項目Ｆ１〜Ｆ５のいずれか１つに記載の組み合わせ。
【０２００】
項目Ｆ７．第１の部分は、第１の方向に沿った第１の長手方向軸を有し、第１の部分は、第１の長手方向軸が第１の方向と異なる第２の方向に沿うように配置されるように適合されている、項目Ｆ１〜Ｆ６のいずれか１つに記載の組み合わせ。
【０２０１】
項目Ｆ８．第２の方向は、第１の方向に概ね垂直である、項目Ｆ７に記載の組み合わせ。
【０２０２】
項目Ｆ９．第２の部分は、第３の方向に沿った第２の長手方向軸を有し、第２の部分は、第２の長手方向軸が第３の方向と異なる第４の方向に沿うように配置されるように適合されている、項目Ｆ８に記載の組み合わせ。
【０２０３】
項目Ｆ１０．第４の方向は、第３の方向に概ね垂直である、項目Ｆ９に記載の組み合わせ。
【０２０４】
項目Ｆ１１．エアガイド装置は２つの誘導シールを含み、各誘導シールは、第２の縁部から空気膜構造に向かって延在する、項目Ｆ１〜Ｆ１０のいずれか１つに記載の組み合わせ。
【０２０５】
項目Ｆ１２．２つの誘導シールは互いに概ね垂直である、項目Ｆ１１に記載の組み合わせ。
【０２０６】
項目Ｆ１３．エアガイド装置は、第２の縁部上の第１の位置から開始し、第２の縁部上の第２の位置において終了する連続シールを含み、第１の位置は第２の位置と異なる、項目Ｆ１〜Ｆ１２のいずれか１つに記載の組み合わせ。
【０２０７】
項目Ｆ１４．空気膜構造は、第１の縁部と第２の縁部との間の平均長さを有し、分離装置の長さは空気膜構造の平均長さの半分以上である、項目Ｆ１〜Ｆ１３のいずれか１つに記載の組み合わせ。
【０２０８】
項目Ｆ１５．空気膜構造は幅を有し、第２の縁部は、第１の端部及び第２の端部を有し、エアガイド装置は、第２の縁部の第１の端部からの幅の２／５の距離にある開始点と、第２の縁部の第２の端部からの幅の２／５の距離にある終点とを有するエリア内にある空気膜構造の中心部に配設されている、項目Ｆ１〜Ｆ１４のいずれか１つに記載の組み合わせ。
【０２０９】
項目Ｆ１６．エアガイド装置は、共通する周縁の周りのシールと一体化された波状のシールを含む、項目Ｆ１〜Ｆ１５のいずれか１つに記載の組み合わせ。
【０２１０】
項目Ｆ１７．エアガイド装置は、共通する周縁の周りのシールに近接して配設された複数の区画されたシールを含む、項目Ｆ１〜Ｆ１６のいずれか１つに記載の組み合わせ。
【０２１１】
項目Ｆ１８．構成可能な対流装置は、人の首に近接して配設されるように構成されたヘッドウォーマーを更に含み、ヘッドウォーマーは、構成可能な対流装置から部分的に分離された１つ以上の膨張可能なセクションを含む、項目Ｆ１〜Ｆ１７のいずれか１つに記載の組み合わせ。
【０２１２】
項目Ｆ１９．ヘッドウォーマーは、２つの隣接した膨張可能なセクションを含む、項目Ｆ１８に記載の組み合わせ。
【０２１３】
項目Ｆ２０．ヘッドウォーマーはＵ字形状の膨張可能なセクションを含む、項目Ｆ１８に記載の組み合わせ。
【０２１４】
項目Ｆ２１．アタッチメント装置は、両面接着ストリップ、ミシン目付き切り取りタブ、面ファスナー、スナップ、リベット、再貼付け可能な接着ストリップ、機械的に再密閉可能なファスナーのうちの少なくとも１つを含む、項目Ｆ１〜Ｆ２０のいずれか１つに記載の組み合わせ。
【０２１５】
上述の実施形態は本発明の様々な態様の説明を容易にするように詳細に記載されているため、本発明は、上述の特定の実施例及び実施形態に限定されるとみなされるべきではない。むしろ、本発明は、添付の特許請求の範囲及びそれらの均等物によって定義される本発明の趣旨及び範囲に収まる様々な修正、均等のプロセス、及び代替のデバイスを含む、本発明の全ての態様を扱うことが理解されるべきである。本発明の実施態様の一部を以下の態様［１］−［１５］に記載する。
［態様１］
空気透過性の表面を有する可撓性の第１の層と、
共通する周縁の周りの周縁シールによって前記第１の層を接合して空気膜構造を形成する可撓性の第２の層であって、前記空気膜構造は、第１の縁部と、対向する第２の縁部とを有し、前記空気膜構造は、第１の部分、第２の部分、及び前記第１の部分と前記第２の部分を接続する膨張可能なチャネルを含む、可撓性の第２の層と、
前記空気膜構造内への少なくとも１つの開口部と、
前記第１の部分と前記第２の部分を接続する前記膨張可能なチャネルの周縁に近接して配設されたエアガイド装置であって、前記第１の部分及び前記第２の部分のうちの少なくとも１つが曲がっているときに膨張媒体の流れを方向付けるように構成されたエアガイド装置と、
を備える、構成可能な対流装置。
［態様２］
前記エアガイド装置は、前記第２の縁部に近接して配設される、態様１に記載の構成可能な対流装置。
［態様３］
前記エアガイド装置は、前記構成可能な対流装置が膨張し、前記第１の部分及び前記第２の部分のうちの少なくとも１つが曲がっているときに、前記エアガイド装置の縁部において折り目を形成するのを容易にするように構成される、態様１に記載の構成可能な対流装置。
［態様４］
前記エアガイド装置は、前記周縁シールと一体化された波状のシールを含む、態様１に記載の構成可能な対流装置。
［態様５］
前記第１の縁部上に、前記第１の部分と前記第２の部分との間に配設された分離装置であって、
前記第１の縁部から前記第２の縁部に向かって延在する封入シールと、
前記封入シール内の分離要素と、
を含む分離装置を更に備える、態様１に記載の構成可能な対流装置。
［態様６］
前記分離要素は、脆弱化線、ミシン目、及びスリットのうちの少なくとも１つを含む、態様５に記載の構成可能な対流装置。
［態様７］
前記エアガイド装置は、前記周縁シールに近接して配設された複数の区画されたシールを含む、態様１に記載の構成可能な対流装置。
［態様８］
前記エアガイド装置は、前記第２の縁部に近接する前記周縁シールから前記空気膜構造に向かって延在する誘導シールを含む、態様１に記載の構成可能な対流装置。
［態様９］
前記エアガイド装置は、２つの誘導シールを含み、各誘導シールは、前記第２の縁部に近接した前記周縁シールから前記空気膜構造に向かって延在する、態様１に記載の構成可能な対流装置。
［態様１０］
人の首に近接して配設されるように構成されたヘッドウォーマーを更に備え、前記ヘッドウォーマーは、前記構成可能な対流装置から部分的に分離した１つ以上の膨張可能なセクションを含む、態様１に記載の構成可能な対流装置。
［態様１１］
空気透過性の表面を有する可撓性の第１の層と、
共通する周縁の周りの周縁シールによって前記第１の層を接合して空気膜構造を形成する可撓性の第２の層であって、前記空気膜構造は、第１の縁部と、対向する第２の縁部とを有する、可撓性の第２の層と、
前記空気膜構造内への少なくとも１つの開口部と、
前記第１の縁部に近接して配設され、前記空気膜構造の一部を第１の部分及び第２の部分に分離するように適合されている分離装置であって、
前記第１の縁部から前記第２の縁部に向かって延在する封入シールと、
前記封入シール内の分離要素と、
を含む分離装置と、
前記第２の縁部に近接して、前記第１の部分と前記第２の部分との間に配設されたエアガイド装置であって、前記第１の部分及び前記第２の部分のうちの少なくとも１つが曲がっているときに屈曲部における膨張媒体の流れを方向付けるように構成されたエアガイド装置と、
を備える、構成可能な対流装置。
［態様１２］
前記エアガイド装置は、第２の縁部に近接する前記周縁シールから前記空気膜構造に向かって延在する誘導シールを含む、態様１１に記載の構成可能な対流装置。
［態様１３］
空気透過性の表面を有する可撓性の第１の層と、
共通する周縁の周りの周縁シールによって前記第１の層を接合して空気膜構造を形成する可撓性の第２の層であって、前記空気膜構造は、第１の縁部と、対向する第２の縁部とを有し、前記空気膜構造は、第１の部分、第２の部分、及び前記第１の部分と前記第２の部分に接続する膨張可能なチャネルを含む、可撓性の第２の層と、
前記空気膜構造内への少なくとも１つの開口部と、
前記第１の部分と前記第２の部分との間に配設されたエアガイド装置であって、前記第１の部分及び前記第２の部分のうちの少なくとも１つが曲がっているときに屈曲部において膨張媒体の流れを方向付けるように構成されたエアガイド装置と、
を備える、膨張可能な上半身ブランケット。
［態様１４］
前記エアガイド装置は、前記第１の縁部付近の前記周縁シールに近接して配設された第１の組のエアガイドシールを含む、態様１３に記載の膨張可能な上半身ブランケット。
［態様１５］
前記エアガイド装置は、前記第２の縁部付近の前記周縁シールに近接して配設された第２の組のエアガイドシールを含む、態様１３に記載の膨張可能な上半身ブランケット。
【図１Ａ】
0006339746.tif 000002
【図１Ｂ】
0006339746.tif 000003
【図１Ｃ】
0006339746.tif 000004
【図２Ａ】
0006339746.tif 000005
【図２Ｂ】
0006339746.tif 000006
【図２Ｃ】
0006339746.tif 000007
【図３Ａ】
0006339746.tif 000008
【図３Ｂ】
0006339746.tif 000009
【図３Ｃ】
0006339746.tif 000010
【図３Ｄ】
0006339746.tif 000011
【図３Ｅ】
0006339746.tif 000012
【図３Ｆ】
0006339746.tif 000013
【図３Ｇ】
0006339746.tif 000014
【図３Ｈ】
0006339746.tif 000015
【図３Ｉ】
0006339746.tif 000016
【図３Ｊ】
0006339746.tif 000017
【図３Ｋ】
0006339746.tif 000018
【図３Ｌ】
0006339746.tif 000019
【図４Ａ】
0006339746.tif 000020
【図４Ｂ】
0006339746.tif 000021
【図４Ｃ】
0006339746.tif 000022
【図４Ｄ】
0006339746.tif 000023
【図４Ｅ】
0006339746.tif 000024
【図４Ｆ】
0006339746.tif 000025
【図４Ｇ】
0006339746.tif 000026
【図４Ｈ】
0006339746.tif 000027
【図５Ａ】
0006339746.tif 000028
【図５Ｂ】
0006339746.tif 000029
【図５Ｃ】
0006339746.tif 000030
【図６Ａ】
0006339746.tif 000031
【図６Ｂ】
0006339746.tif 000032
【図６Ｃ】
0006339746.tif 000033
【図６Ｄ】
0006339746.tif 000034
【図６Ｅ】
0006339746.tif 000035
【図６Ｆ】
0006339746.tif 000036
【図６Ｇ】
0006339746.tif 000037
【図７】
0006339746.tif 000038
【図８】
0006339746.tif 000039
【図９】
0006339746.tif 000040